(57)【要約】      （修正有）【課題】手間やコストが掛からない新しい決済システムを提供する。【解決手段】  端末装置３は、中央処理装置１から商品（又はサービス）の対価の額の請求に関する内容の電子メールを受信することが出来る第一の受信手段と、この第一の受信手段で受信した前記電子メールを出力することが出来る出力手段とを有する。このように構成することにより、請求書の印刷、及び請求書の人手による発送などの手間が削減できる。特に前記商品（又はサービス）の対価の額の請求に関する情報が、商品（又はサービス）の対価の額の請求に関する内容の電子メールに基づいて、前記端末装置の出力手段にバーコードで表示されるように構成されたことを特徴とする。【選択図】  図１
2004158011.tif 000002
【特許請求の範囲】
【請求項１】
商品（又はサービス）が注文（又は利用）された場合に、前記商品（又はサービス）に対する決済処理を行う為のシステムであって、前記システムは、ネットワークに接続され、顧客が使用する端末装置と、前記ネットワークに接続される中央処理装置１とを有し、前記端末装置は、前記中央処理装置１から前記商品（又はサービス）の対価の額の請求に関する内容の電子メールを受信することが出来る第一の受信手段と、この第一の受信手段で受信した前記電子メールを出力することが出来る出力手段とを有し、前記中央処理装置１は、前記顧客の識別情報、前記顧客が注文（又は利用）した商品（又はサービス）に関する情報、前記顧客が注文（又は利用）した商品（又はサービス）の対価の額の請求に関する情報、及び／又は前記商品（又はサービス）の対価の額を前記顧客から受け取った旨の情報を入力することが出来る入力手段と、この入力手段で入力した前記商品（又はサービス）に関する情報に基づいて、前記顧客が注文（又は利用）した商品（又はサービス）の対価の額の請求に関する内容の電子メールを生成することが出来る第一の生成手段と、前記入力手段で入力した前記顧客の識別情報に基づいて、前記第一の生成手段で生成した前記電子メールを前記端末装置に向けて前記ネットワークを介して送信することが出来る第一の送信手段と、前記入力手段で入力した前記商品（又はサービス）の対価の額の請求に関する情報、及び／又は前記商品（又はサービス）の対価の額を前記顧客から受け取った旨の情報に基づいて、前記商品（又はサービス）の対価の額の領収に関する情報を出力することが出来る出力手段とを有することを特徴とする決済システム。
【請求項２】
前記商品（又はサービス）の対価の額の請求に関する情報が、前記商品（又はサービス）の対価の額の請求に関する内容の電子メールに基づいて、前記端末装置の出力手段にバーコードで表示されるように構成されたことを特徴とする請求項１に記載の決済システム。
【請求項３】
前記中央処理装置１の入力手段は、バーコードリーダを有しており、前記バーコードリーダは、前記端末装置の出力手段に表示されたバーコードを読み込むことにより前記商品（又はサービス）の対価の額の請求に関する情報を入力出来るよう構成されてなることを特徴とする請求項１又は請求項２に記載の決済システム。
【請求項４】
商品（又はサービス）が注文（又は利用）された場合に、前記商品（又はサービス）に対する決済処理を行う為のシステムであって、前記システムは、ネットワークに接続され、顧客が使用する端末装置と、前記ネットワークに接続され、金融機関が使用する中央処理装置２とを有し、前記端末装置は、前記中央処理装置２から前記商品（又はサービス）の対価の請求がある旨の内容の電子メールを受信することが出来る第一の受信手段と、前記中央処理装置２から前記商品（又はサービス）の対価の額の請求に関する情報を受信することが出来る第二の受信手段と、前記顧客名義の口座に関する第一の情報、前記顧客名義の口座に関する第二の情報、前記顧客が注文（又は利用）した商品（又はサービス）の対価の額の請求に関する情報を送信されたし旨の情報、及び／又は前記商品（又はサービス）の対価の額の決済に関する情報を前記中央処理装置２に向けて送信することが出来る第一の送信手段とを有し、前記中央処理装置２は、前記顧客の識別情報、前記顧客が注文（又は利用）した商品（又はサービス）に関する情報、及び／又は前記商品（又はサービス）の提供先の識別情報を入力することが出来る入力手段と、前記端末装置から前記顧客名義の口座に関する第一の情報、前記顧客名義の口座に関する第二の情報、前記顧客が注文（又は利用）した商品（又はサービス）の対価の額の請求に関する情報を送信されたし旨の情報、及び／又は前記商品（又はサービス）の対価の額の決済に関する情報を受信することが出来る受信手段と、前記入力手段で入力した前記商品（又はサービス）の提供先の識別情報に基づいて、前記商品（又はサービス）の提供先から前記顧客が注文（又は利用）した商品（又はサービス）の対価の請求がある旨の内容の電子メールを生成することが出来る第二の生成手段と、前記入力手段で入力した前記顧客の識別情報に基づいて、前記第二の生成手段で生成した前記電子メールを前記端末装置に向けて前記ネットワークを介して送信することが出来る第一の送信手段と、前記受信手段で受信した前記顧客名義の口座に関する第一の情報、前記顧客名義の口座に関する第二の情報、及び／又は前記顧客が注文（又は利用）した商品（又はサービス）の対価の額の請求に関する情報を送信されたし旨の情報に基づいて、又、前記入力手段で入力した前記商品（又はサービス）に関する情報に基づいて、前記顧客が注文（又は利用）した商品（又はサービス）の対価の額の請求に関する情報を前記端末装置に向けて送信することが出来る第二の送信手段と、前記受信手段で受信した前記顧客名義の口座に関する第一の情報、前記顧客名義の口座に関する第二の情報、及び／又は前記商品（又はサービス）の対価の額の決済に関する情報に基づいて、前記顧客名義の口座から前記提供先名義の口座に前記商品（又はサービス）の対価の額の移動を指示することが出来る指示手段とを有することを特徴とする決済システム。
【請求項５】
前記端末装置は、前記第一の受信手段で受信した前記電子メール、及び／又は前記第二の受信手段で受信した前記商品（又はサービス）の対価の額の請求に関する情報を出力することが出来る出力手段を有することを特徴とする請求項４に記載の決済システム。
【請求項６】
前記中央処理装置２は、顧客名義の口座に関する第一の情報、及び前記金融機関に登録されている顧客名義の口座に関する第二の情報が記憶されたテーブルと、前記端末装置から受信した前記顧客名義の口座に関する第一の情報に基づいて、前記中央処理装置２のテーブルから前記顧客名義の口座に関する第二の情報を読出し、前記中央処理装置２のテーブルから読出した前記顧客名義の口座に関する第二の情報と、前記端末装置から受信した前記顧客名義の口座に関する第二の情報とを比較する比較手段とを有し、前記中央処理装置２の第二の送信手段は、前記比較手段による比較の結果、前記中央処理装置２のテーブルで読出した前記顧客名義の口座に関する第二の情報と、前記端末装置から受信した前記顧客名義の口座に関する第二の情報とが同じである場合に、前記入力手段で入力した前記顧客が注文（又は利用）した商品（又はサービス）の対価の額の請求に関する情報を送信されたし旨の情報に基づいて、前記顧客が注文（又は利用）した商品（又はサービス）の対価の額の請求に関する情報を前記端末装置に向けて送信する手段であることを特徴とする請求項４又は請求項５に記載の決済システム。
【請求項７】
商品（又はサービス）が注文（又は利用）された場合に、前記商品（又はサービス）に対する決済処理を行う為のシステムであって、前記システムは、ネットワークに接続され、顧客が使用する端末装置と、前記ネットワークに接続される中央処理装置１と、前記ネットワークに接続され、金融機関が使用する中央処理装置２とを有し、前記端末装置は、前記中央処理装置１から前記商品（又はサービス）の対価の額の請求に関する内容の電子メールを受信することが出来る第一の受信手段と、前記顧客名義の口座に関する第一の情報、前記顧客名義の口座に関する第二の情報、及び／又は前記商品（又はサービス）の対価の額の決済に関する情報を前記中央処理装置２に向けて送信することが出来る第一の送信手段とを有し、前記中央処理装置１は、前記顧客の識別情報、及び／又は前記顧客が注文（又は利用）した商品（又はサービス）に関する情報を入力することが出来る入力手段と、この入力手段で入力した前記商品（又はサービス）に関する情報に基づいて、前記顧客が注文（又は利用）した商品（又はサービス）の対価の額の請求に関する内容の電子メールを生成することが出来る第一の生成手段と、前記入力手段で入力した前記顧客の識別情報に基づいて、前記第一の生成手段で生成した前記電子メールを前記端末装置に向けて前記ネットワークを介して送信することが出来る第一の送信手段とを有し、前記中央処理装置２は、前記端末装置から前記顧客名義の口座に関する第一の情報、前記顧客名義の口座に関する第二の情報、及び／又は前記商品（又はサービス）の対価の額の決済に関する情報を受信することが出来る受信手段と、この受信手段で受信した前記顧客名義の口座に関する第一の情報、前記顧客名義の口座に関する第二の情報、及び／又は前記商品（又はサービス）の対価の額の決済に関する情報に基づいて、前記顧客名義の口座から前記提供先名義の口座に前記商品（又はサービス）の対価の額の移動を指示することが出来る指示手段とを有することを特徴とする決済システム。
【請求項８】
前記中央処理装置２は、前記指示手段で前記顧客名義の口座から前記提供先名義の口座に前記商品（又はサービス）の対価の額の移動を指示した場合、前記顧客名義の口座から前記提供先名義の口座に前記商品（又はサービス）の対価の額の移動を指示した旨の情報を前記中央処理装置１に向けて送信することが出来る手段を有することを特徴とする請求項７に記載の決済システム。
【請求項９】
前記端末装置は、前記第一の受信手段で受信した前記電子メールを出力することが出来る出力手段を有することを特徴とする請求項７又は請求項８に記載の決済システム。
【請求項１０】
前記中央処理装置２は、顧客名義の口座に関する第一の情報、及び前記金融機関に登録されている顧客名義の口座に関する第二の情報が記憶されたテーブルと、前記端末装置から受信した前記顧客名義の口座に関する第一の情報に基づいて、前記中央処理装置２のテーブルから前記顧客名義の口座に関する第二の情報を読出し、前記中央処理装置２のテーブルから読出した前記顧客名義の口座に関する第二の情報と、前記端末装置から受信した前記顧客名義の口座に関する第二の情報とを比較する比較手段とを有し、前記中央処理装置２の指示手段は、前記比較手段による比較の結果、前記中央処理装置２のテーブルで読出した前記顧客名義の口座に関する第二の情報と、前記端末装置から受信した前記顧客名義の口座に関する第二の情報とが同じである場合に、前記端末装置から受信した前記商品（又はサービス）の対価の額の決済に関する情報に基づいて、前記顧客名義の口座から前記提供先名義の口座に前記商品（又はサービス）の対価の額の移動を指示する手段であることを特徴とする請求項７〜請求項９いずれかに記載の決済システム。
【請求項１１】
前記端末装置は、前記端末装置の出力手段で出力した前記商品（又はサービス）の対価の額の請求に関する情報を記憶するテーブルを有し、前記端末装置のテーブルに記憶された前記商品（又はサービス）の対価の額の請求に関する情報を、前記端末装置の出力手段で出力できるように構成したことを特徴とする請求項１〜請求項１０いずれかに記載の決済システム。
【請求項１２】
前記ネットワークは、インターネットであることを特徴とする請求項１〜請求項１１いずれかに記載の決済システム。
【請求項１３】
前記端末装置と、前記ネットワークとは、無線、及び／又は公衆回線で接続されることを特徴とする請求項１〜請求項１２いずれかに記載の決済システム。
【請求項１４】
前記端末装置は、移動体端末装置であることを特徴とする請求項１〜請求項１３いずれかに記載の決済システム。
【請求項１５】
ネットワークに接続され、顧客が使用する端末装置と、前記ネットワークに接続される中央処理装置１とを用いて決済を行う方法であって、前記顧客の識別情報が前記中央処理装置１に入力されるステップ１５１ａと、前記顧客が注文（又は利用）した商品（又はサービス）に関する情報が前記中央処理装置１に入力されるステップ１５１ｂと、前記中央処理装置１が、前記ステップ１５１ｂで入力された前記商品（又はサービス）に関する情報に基づいて、前記顧客が注文（又は利用）した商品（又はサービス）の対価の額の請求に関する内容の電子メールを生成するステップ１５２と、前記中央処理装置１が、前記ステップ１５１ａで入力された前記顧客の識別情報に基づいて、前記ステップ１５２で生成した前記電子メールを前記端末装置に向けて前記ネットワークを介して送信するステップ１５３と、前記端末装置が、前記中央処理装置１から前記商品（又はサービス）の対価の額の請求に関する内容の電子メールを受信するステップ１５４と、前記端末装置が、前記ステップ１５４で受信した前記電子メールを出力するステップ１５５と、前記商品（又はサービス）の対価の額の請求に関する情報が前記中央処理装置１に入力されるステップ１５６ａと、前記商品（又はサービス）の対価の額を前記顧客から受け取った旨の情報が前記中央処理装置１に入力されるステップ１５６ｂと、前記中央処理装置１が、前記ステップ１５６ａで入力された前記商品（又はサービス）の対価の額の請求に関する情報、及び前記ステップ１５６ｂで入力された前記商品（又はサービス）の対価の額を前記顧客から受け取った旨の情報に基づいて、前記商品（又はサービス）の対価の額の領収に関する情報を出力するステップ１５７とを有することを特徴とする決済方法。
【請求項１６】
前記ステップ１５５は、前記端末装置が、前記ステップ１５４で受信した前記電子メールに基づいて、前記商品（又はサービス）の対価の額の請求に関する情報をバーコードで表示するステップであることを特徴とする請求項１５に記載の決済方法。
【請求項１７】
前記ステップ１５６ａは、バーコードリーダにより前記端末装置に表示されたバーコードを読み込んで、前記商品（又はサービス）の対価の額の請求に関する情報を入力するステップであることを特徴とする請求項１５又は請求項１６に記載の決済方法。
【請求項１８】
ネットワークに接続され、顧客が使用する端末装置と、前記ネットワークに接続され、金融機関が使用する中央処理装置２とを用いて決済を行う方法であって、前記顧客の識別情報が前記中央処理装置２に入力されるステップ１８１ａと、前記顧客が注文（又は利用）した商品（又はサービス）に関する情報が前記中央処理装置２に入力されるステップ１８１ｂと、前記商品（又はサービス）の提供先の識別情報が前記中央処理装置２に入力されるステップ１８１ｃと、前記中央処理装置２が、前記ステップ１８１ｃで入力された前記商品（又はサービス）の提供先の識別情報に基づいて、前記商品（又はサービス）の提供先から前記顧客が注文（又は利用）した商品（又はサービス）の対価の請求がある旨の内容の電子メールを生成するステップ１８２と、前記中央処理装置２が、前記ステップ１８１ａで入力された前記顧客の識別情報に基づいて、前記ステップ１８２で生成した前記電子メールを前記端末装置に向けて前記ネットワークを介して送信するステップ１８３と、前記端末装置が、前記中央処理装置２から前記商品（又はサービス）の対価の請求がある旨の内容の電子メールを受信するステップ１８４と、前記端末装置が、前記顧客名義の口座に関する第一の情報を前記中央処理装置２に向けて送信するステップ１８５ａと、前記端末装置が、前記顧客名義の口座に関する第二の情報を前記中央処理装置２に向けて送信するステップ１８５ｂと、前記端末装置が、前記顧客が注文（又は利用）した商品（又はサービス）の対価の額の請求に関する情報を送信されたし旨の情報を前記中央処理装置２に向けて送信するステップ１８５ｃと、前記中央処理装置２が、前記端末装置から前記顧客名義の口座に関する第一の情報を受信するステップ１８６ａと、前記中央処理装置２が、前記顧客名義の口座に関する第二の情報を受信するステップ１８６ｂと、前記中央処理装置２が、前記顧客が注文（又は利用）した商品（又はサービス）の対価の額の請求に関する情報を送信されたし旨の情報を受信するステップ１８６ｃと、前記中央処理装置２が、前記端末装置から受信した前記顧客名義の口座に関する第一の情報、前記顧客名義の口座に関する第二の情報、及び／又は前記顧客が注文（又は利用）した商品（又はサービス）の対価の額の請求に関する情報を送信されたし旨の情報に基づいて、又、前記ステップ１８１ｂで入力された前記商品（又はサービス）に関する情報に基づいて、前記顧客が注文（又は利用）した商品（又はサービス）の対価の額の請求に関する情報を前記端末装置に向けて送信するステップ１８７と、前記端末装置が、前記中央処理装置２から前記商品（又はサービス）の対価の額の請求に関する情報を受信するステップ１８８と、前記端末装置が、前記顧客が注文（又は利用）した商品（又はサービス）の対価の額の決済に関する情報を前記中央処理装置２に向けて送信するステップ１８９と、前記中央処理装置２が、前記商品（又はサービス）の対価の額の決済に関する情報を受信するステップ１８１０と、前記中央処理装置２が、前記端末装置から受信した前記顧客名義の口座に関する第一の情報、前記顧客名義の口座に関する第二の情報、及び／又は前記商品（又はサービス）の対価の額の決済に関する情報に基づいて、前記顧客名義の口座から前記提供先名義の口座に前記商品（又はサービス）の対価の額の移動を指示するステップ１８１１とを有することを特徴とする決済方法。
【請求項１９】
前記決済方法は、前記端末装置が、前記ステップ１８４で受信した前記電子メールを出力するステップ１９１と、前記端末装置が、前記ステップ１８８で受信した前記商品（又はサービス）の対価の額の請求に関する情報を出力するステップ１９２とを有することを特徴とする請求項１８に記載の決済方法。
【請求項２０】
前記中央処理装置２は、顧客名義の口座に関する第一の情報、及び金融機関に登録されている顧客名義の口座に関する第二の情報が記憶されたテーブルを有し、前記決済方法は、前記中央処理装置２が、前記端末装置から受信した前記顧客名義の口座に関する第一の情報に基づいて、前記中央処理装置２のテーブルから前記顧客名義の口座に関する第二の情報を読出し、前記中央処理装置２のテーブルから読出した前記顧客名義の口座に関する第二の情報と、前記端末装置から受信した前記顧客名義の口座に関する第二の情報とを比較するステップ２０１を有し、前記ステップ１８７は、前記ステップ２０１による比較の結果、前記中央処理装置２のテーブルで読出した前記顧客名義の口座に関する第二の情報と、前記端末装置から受信した前記顧客名義の口座に関する第二の情報とが同じである場合に、前記ステップ１８１ｂで入力した前記商品（又はサービス）に関する情報に基づいて、前記顧客が注文（又は利用）した商品（又はサービス）の対価の額の請求に関する情報を前記端末装置に向けて送信するステップであることを特徴とする請求項１８又は請求項１９に記載の決済方法。
【請求項２１】
ネットワークに接続され、顧客が使用する端末装置と、前記ネットワークに接続される中央処理装置１と、前記ネットワークに接続され、金融機関が使用する中央処理装置２とを用いて決済を行う方法であって、前記顧客の識別情報が前記中央処理装置１に入力されるステップ２１１ａと、前記顧客が注文（又は利用）した商品（又はサービス）に関する情報が前記中央処理装置１に入力されるステップ２１１ｂと、前記中央処理装置１が、前記ステップ２１１ａで入力された前記顧客の識別情報、及び／又は前記ステップ２１１ｂで入力された前記商品（又はサービス）に関する情報に基づいて、前記顧客が注文（又は利用）した商品（又はサービス）の対価の額の請求に関する内容の電子メールを生成するステップ２１２と、前記中央処理装置１が、前記ステップ２１２で生成した前記電子メールを前記端末装置に向けて前記ネットワークを介して送信するステップ２１３と、前記端末装置が、前記中央処理装置１から前記商品（又はサービス）の対価の額の請求に関する内容の電子メールを受信するステップ２１４と、前記端末装置が、前記顧客名義の口座に関する第一の情報を前記中央処理装置２に向けて送信するステップ２１５ａと、前記端末装置が、前記顧客名義の口座に関する第二の情報を前記中央処理装置２に向けて送信するステップ２１５ｂと、前記端末装置が、前記顧客が注文（又は利用）した商品（又はサービス）の対価の額の決済に関する情報を前記中央処理装置２に向けて送信するステップ２１５ｃと、前記中央処理装置２が、前記端末装置から前記顧客名義の口座に関する第一の情報を受信するステップ２１６ａと、前記中央処理装置２が、前記端末装置から前記顧客名義の口座に関する第二の情報を受信するステップ２１６ｂと、前記中央処理装置２が、前記端末装置から前記商品（又はサービス）の対価の額の決済に関する情報を受信するステップ２１６ｃと、前記中央処理装置２が、前記端末装置から受信した前記顧客名義の口座に関する第一の情報、前記顧客名義の口座に関する第二の情報、及び／又は前記商品（又はサービス）の対価の額の決済に関する情報に基づいて、前記顧客名義の口座から前記提供先名義の口座に前記商品（又はサービス）の対価の額の移動を指示するステップ１８１１とを有することを特徴とする決済方法。
【請求項２２】
前記決済方法は、前記中央処理装置２が、前記ステップ１８１１で前記顧客名義の口座から前記提供先名義の口座に前記商品（又はサービス）の対価の額の移動を指示した場合、前記顧客名義の口座から前記提供先名義の口座に前記商品（又はサービス）の対価の額の移動を指示した旨の情報を前記中央処理装置１に向けて送信するステップ２２１を有することを特徴とする請求項２１に記載の決済方法。
【請求項２３】
前記決済方法は、前記端末装置が、前記ステップ２１４で受信した前記電子メールを出力するステップ２３１を有することを特徴とする請求項２１又は請求項２２に記載の決済方法。
【請求項２４】
前記中央処理装置２は、顧客名義の口座に関する第一の情報、及び金融機関に登録されている顧客名義の口座に関する第二の情報が記憶されたテーブルを有し、前記決済方法は、前記中央処理装置２が、前記端末装置から受信した前記顧客名義の口座に関する第一の情報に基づいて、前記中央処理装置２のテーブルから前記顧客名義の口座に関する第二の情報を読出し、前記中央処理装置２のテーブルから読出した前記顧客名義の口座に関する第二の情報と、前記端末装置から受信した前記顧客名義の口座に関する第二の情報とを比較するステップ２０１を有し、前記ステップ１８１１は、前記ステップ２０１による比較の結果、前記中央処理装置２のテーブルで読出した前記顧客名義の口座に関する第二の情報と、前記端末装置から受信した前記顧客名義の口座に関する第二の情報とが同じである場合に、前記商品（又はサービス）の対価の額の決済に関する情報に基づいて、前記顧客名義の口座から前記提供先名義の口座に前記商品（又はサービス）の対価の額の移動を指示するステップであることを特徴とする請求項１８〜請求項２３に記載の決済方法。
【請求項２５】
前記決済方法は、前記端末装置が、前記出力した前記商品（又はサービス）の対価の額の請求に関する情報を前記端末装置のテーブルに記憶するステップ２５１と、前記端末装置が、前記端末装置のテーブルに記憶した前記商品（又はサービス）の対価の額の請求に関する情報を読出し、この読出した前記商品（又はサービス）の対価の額の請求に関する情報を出力するステップ２５２とを有することを特徴とする請求項１５〜請求項２４いずれかに記載の決済方法。
【発明の詳細な説明】
【技術分野】
【０００１】
本発明は、決済システム、及び決済方法に関する。
【発明の開示】
【発明が解決しようとする課題】
【０００２】
例えば、電話料金などの請求書は、紙に印刷されて顧客に郵送されていた。そして、顧客は、郵送された請求書を金融機関に持って行き、決済を行っていた。
しかし、外出先で金融機関を見つけ、ふと電話料金の支払いを思い出しても郵送された請求書を持参していなければ決済はできなかった。また、請求書を発行する側は、請求書を郵送する事に多くの手間とコストとが掛かっていた。そこで、これに代わるシステムが待たれていた。
【０００３】
従って、本発明が解決しようとする課題は、手間やコストが掛からない新しい決済システムを提供することである。
【課題を解決するための手段】
【０００４】
前記の課題は、商品（又はサービス）が注文（又は利用）された場合に、前記商品（又はサービス）に対する決済処理を行う為のシステムであって、前記システムは、ネットワークに接続され、顧客が使用する端末装置と、前記ネットワークに接続される中央処理装置１とを有し、前記端末装置は、前記中央処理装置１から前記商品（又はサービス）の対価の額の請求に関する内容の電子メールを受信することが出来る第一の受信手段と、この第一の受信手段で受信した前記電子メールを出力することが出来る出力手段とを有し、前記中央処理装置１は、前記顧客の識別情報、前記顧客が注文（又は利用）した商品（又はサービス）に関する情報、前記顧客が注文（又は利用）した商品（又はサービス）の対価の額の請求に関する情報、及び／又は前記商品（又はサービス）の対価の額を前記顧客から受け取った旨の情報を入力することが出来る入力手段と、この入力手段で入力した前記商品（又はサービス）に関する情報に基づいて、前記顧客が注文（又は利用）した商品（又はサービス）の対価の額の請求に関する内容の電子メールを生成することが出来る第一の生成手段と、前記入力手段で入力した前記顧客の識別情報に基づいて、前記第一の生成手段で生成した前記電子メールを前記端末装置に向けて前記ネットワークを介して送信することが出来る第一の送信手段と、前記入力手段で入力した前記商品（又はサービス）の対価の額の請求に関する情報、及び／又は前記商品（又はサービス）の対価の額を前記顧客から受け取った旨の情報に基づいて、前記商品（又はサービス）の対価の額の領収に関する情報を出力することが出来る出力手段とを有することを特徴とする決済システムによって解決される。
【０００５】
このように構成することにより、請求書の印刷、及び請求書の人手による発送などの手間を削減できる。
特に、前記商品（又はサービス）の対価の額の請求に関する情報が、前記商品（又はサービス）の対価の額の請求に関する内容の電子メールに基づいて、前記端末装置の出力手段にバーコードで表示されるように構成されたことを特徴とする。
【０００６】
又、前記中央処理装置１の入力手段は、バーコードリーダを有しており、前記バーコードリーダは、前記端末装置の出力手段に表示されたバーコードを読み込むことにより前記商品（又はサービス）の対価の額の請求に関する情報を入力出来るよう構成されてなることを特徴とする。
【０００７】
このように構成することにより、バーコードリーダを有するＰＯＳ装置等で、簡単に請求書を読み込むことが出来る。
又、前記の課題は、商品（又はサービス）が注文（又は利用）された場合に、前記商品（又はサービス）に対する決済処理を行う為のシステムであって、前記システムは、ネットワークに接続され、顧客が使用する端末装置と、前記ネットワークに接続され、金融機関が使用する中央処理装置２とを有し、前記端末装置は、前記中央処理装置２から前記商品（又はサービス）の対価の請求がある旨の内容の電子メールを受信することが出来る第一の受信手段と、前記中央処理装置２から前記商品（又はサービス）の対価の額の請求に関する情報を受信することが出来る第二の受信手段と、前記顧客名義の口座に関する第一の情報、前記顧客名義の口座に関する第二の情報、前記顧客が注文（又は利用）した商品（又はサービス）の対価の額の請求に関する情報を送信されたし旨の情報、及び／又は前記商品（又はサービス）の対価の額の決済に関する情報を前記中央処理装置２に向けて送信することが出来る第一の送信手段とを有し、前記中央処理装置２は、前記顧客の識別情報、前記顧客が注文（又は利用）した商品（又はサービス）に関する情報、及び／又は前記商品（又はサービス）の提供先の識別情報を入力することが出来る入力手段と、前記端末装置から前記顧客名義の口座に関する第一の情報、前記顧客名義の口座に関する第二の情報、前記顧客が注文（又は利用）した商品（又はサービス）の対価の額の請求に関する情報を送信されたし旨の情報、及び／又は前記商品（又はサービス）の対価の額の決済に関する情報を受信することが出来る受信手段と、前記入力手段で入力した前記商品（又はサービス）の提供先の識別情報に基づいて、前記商品（又はサービス）の提供先から前記顧客が注文（又は利用）した商品（又はサービス）の対価の請求がある旨の内容の電子メールを生成することが出来る第二の生成手段と、前記入力手段で入力した前記顧客の識別情報に基づいて、前記第二の生成手段で生成した前記電子メールを前記端末装置に向けて前記ネットワークを介して送信することが出来る第一の送信手段と、前記受信手段で受信した前記顧客名義の口座に関する第一の情報、前記顧客名義の口座に関する第二の情報、及び／又は前記顧客が注文（又は利用）した商品（又はサービス）の対価の額の請求に関する情報を送信されたし旨の情報に基づいて、又、前記入力手段で入力した前記商品（又はサービス）に関する情報に基づいて、前記顧客が注文（又は利用）した商品（又はサービス）の対価の額の請求に関する情報を前記端末装置に向けて送信することが出来る第二の送信手段と、前記受信手段で受信した前記顧客名義の口座に関する第一の情報、前記顧客名義の口座に関する第二の情報、及び／又は前記商品（又はサービス）の対価の額の決済に関する情報に基づいて、前記顧客名義の口座から前記提供先名義の口座に前記商品（又はサービス）の対価の額の移動を指示することが出来る指示手段とを有することを特徴とする決済システムによって解決される。
【０００８】
このように構成することにより、本人確認を行なってから請求する商品（又はサービス）の対価の額を出力できる。又、本人確認を行なってから決済ができる。
特に、前記端末装置は、前記第一の受信手段で受信した前記電子メール、及び／又は前記第二の受信手段で受信した前記商品（又はサービス）の対価の額の請求に関する情報を出力することが出来る出力手段を有することを特徴とする。
【０００９】
この手段により、顧客は、受信した請求書を確認することができる。
又、前記中央処理装置２は、顧客名義の口座に関する第一の情報、及び前記金融機関に登録されている顧客名義の口座に関する第二の情報が記憶されたテーブルと、前記端末装置から受信した前記顧客名義の口座に関する第一の情報に基づいて、前記中央処理装置２のテーブルから前記顧客名義の口座に関する第二の情報を読出し、前記中央処理装置２のテーブルから読出した前記顧客名義の口座に関する第二の情報と、前記端末装置から受信した前記顧客名義の口座に関する第二の情報とを比較する比較手段とを有し、前記中央処理装置２の第二の送信手段は、前記比較手段による比較の結果、前記中央処理装置２のテーブルで読出した前記顧客名義の口座に関する第二の情報と、前記端末装置から受信した前記顧客名義の口座に関する第二の情報とが同じである場合に、前記入力手段で入力した前記顧客が注文（又は利用）した商品（又はサービス）の対価の額の請求に関する情報を送信されたし旨の情報に基づいて、前記顧客が注文（又は利用）した商品（又はサービス）の対価の額の請求に関する情報を前記端末装置に向けて送信する手段であることを特徴とする。
【００１０】
又、前記の課題は、商品（又はサービス）が注文（又は利用）された場合に、前記商品（又はサービス）に対する決済処理を行う為のシステムであって、前記システムは、ネットワークに接続され、顧客が使用する端末装置と、前記ネットワークに接続される中央処理装置１と、前記ネットワークに接続され、金融機関が使用する中央処理装置２とを有し、前記端末装置は、前記中央処理装置１から前記商品（又はサービス）の対価の額の請求に関する内容の電子メールを受信することが出来る第一の受信手段と、前記顧客名義の口座に関する第一の情報、前記顧客名義の口座に関する第二の情報、及び／又は前記商品（又はサービス）の対価の額の決済に関する情報を前記中央処理装置２に向けて送信することが出来る第一の送信手段とを有し、前記中央処理装置１は、前記顧客の識別情報、及び／又は前記顧客が注文（又は利用）した商品（又はサービス）に関する情報を入力することが出来る入力手段と、この入力手段で入力した前記商品（又はサービス）に関する情報に基づいて、前記顧客が注文（又は利用）した商品（又はサービス）の対価の額の請求に関する内容の電子メールを生成することが出来る第一の生成手段と、前記入力手段で入力した前記顧客の識別情報に基づいて、前記第一の生成手段で生成した前記電子メールを前記端末装置に向けて前記ネットワークを介して送信することが出来る第一の送信手段とを有し、前記中央処理装置２は、前記端末装置から前記顧客名義の口座に関する第一の情報、前記顧客名義の口座に関する第二の情報、及び／又は前記商品（又はサービス）の対価の額の決済に関する情報を受信することが出来る受信手段と、この受信手段で受信した前記顧客名義の口座に関する第一の情報、前記顧客名義の口座に関する第二の情報、及び／又は前記商品（又はサービス）の対価の額の決済に関する情報に基づいて、前記顧客名義の口座から前記提供先名義の口座に前記商品（又はサービス）の対価の額の移動を指示することが出来る指示手段とを有することを特徴とする決済システムによって解決される。
【００１１】
このように構成することにより、顧客が希望する金融機関で決済ができる。
又、前記中央処理装置２は、前記指示手段で前記顧客名義の口座から前記提供先名義の口座に前記商品（又はサービス）の対価の額の移動を指示した場合、前記顧客名義の口座から前記提供先名義の口座に前記商品（又はサービス）の対価の額の移動を指示した旨の情報を前記中央処理装置１に向けて送信することが出来る手段を有することを特徴とする。
【００１２】
この手段により、商品（又はサービス）の提供先は、商品（又はサービス）の対価の額が入金されたことが確認できる。
特に、前記端末装置は、前記第一の受信手段で受信した前記電子メールを出力することが出来る出力手段を有することを特徴とする。
【００１３】
この手段により、顧客は、受信した請求書を確認することができる。
又、前記中央処理装置２は、顧客名義の口座に関する第一の情報、及び前記金融機関に登録されている顧客名義の口座に関する第二の情報が記憶されたテーブルと、前記端末装置から受信した前記顧客名義の口座に関する第一の情報に基づいて、前記中央処理装置２のテーブルから前記顧客名義の口座に関する第二の情報を読出し、前記中央処理装置２のテーブルから読出した前記顧客名義の口座に関する第二の情報と、前記端末装置から受信した前記顧客名義の口座に関する第二の情報とを比較する比較手段とを有し、前記中央処理装置２の指示手段は、前記比較手段による比較の結果、前記中央処理装置２のテーブルで読出した前記顧客名義の口座に関する第二の情報と、前記端末装置から受信した前記顧客名義の口座に関する第二の情報とが同じである場合に、前記端末装置から受信した前記商品（又はサービス）の対価の額の決済に関する情報に基づいて、前記顧客名義の口座から前記提供先名義の口座に前記商品（又はサービス）の対価の額の移動を指示する手段であることを特徴とする。
【００１４】
又、前記端末装置は、前記端末装置の出力手段で出力した前記商品（又はサービス）の対価の額の請求に関する情報を記憶するテーブルを有し、前記端末装置のテーブルに記憶された前記商品（又はサービス）の対価の額の請求に関する情報を、前記端末装置の出力手段で出力できるように構成したことを特徴とする。
【００１５】
この構成により、顧客は、受信した請求書を、後日確認することができる。
特に、前記ネットワークは、インターネットであることを特徴とする。
すなわち、端末装置が、インターネットに接続できる設備があれば、全国どこからでも請求書を受信できる。
【００１６】
又、前記端末装置と、前記ネットワークとは、無線、及び／又は公衆回線で接続されることを特徴とする。
又、前記端末装置は、移動体端末装置であることを特徴とする。
【００１７】
すなわち、顧客は、金融機関、或いはコンビニエン・ストーアで外出時に携帯している端末装置（携帯電話）を請求書として利用できる。
又、前記の課題は、ネットワークに接続され、顧客が使用する端末装置と、前記ネットワークに接続される中央処理装置１とを用いて決済を行う方法であって、前記顧客の識別情報が前記中央処理装置１に入力されるステップ１５１ａと、前記顧客が注文（又は利用）した商品（又はサービス）に関する情報が前記中央処理装置１に入力されるステップ１５１ｂと、前記中央処理装置１が、前記ステップ１５１ｂで入力された前記商品（又はサービス）に関する情報に基づいて、前記顧客が注文（又は利用）した商品（又はサービス）の対価の額の請求に関する内容の電子メールを生成するステップ１５２と、前記中央処理装置１が、前記ステップ１５１ａで入力された前記顧客の識別情報に基づいて、前記ステップ１５２で生成した前記電子メールを前記端末装置に向けて前記ネットワークを介して送信するステップ１５３と、前記端末装置が、前記中央処理装置１から前記商品（又はサービス）の対価の額の請求に関する内容の電子メールを受信するステップ１５４と、前記端末装置が、前記ステップ１５４で受信した前記電子メールを出力するステップ１５５と、前記商品（又はサービス）の対価の額の請求に関する情報が前記中央処理装置１に入力されるステップ１５６ａと、前記商品（又はサービス）の対価の額を前記顧客から受け取った旨の情報が前記中央処理装置１に入力されるステップ１５６ｂと、前記中央処理装置１が、前記ステップ１５６ａで入力された前記商品（又はサービス）の対価の額の請求に関する情報、及び前記ステップ１５６ｂで入力された前記商品（又はサービス）の対価の額を前記顧客から受け取った旨の情報に基づいて、前記商品（又はサービス）の対価の額の領収に関する情報を出力するステップ１５７とを有することを特徴とする決済方法によって解決される。
【００１８】
これらのステップにより、請求書の印刷、及び請求書の人手による発送などの手間を削減できる。特に、前記ステップ１５５は、前記端末装置が、前記ステップ１５４で受信した前記電子メールに基づいて、前記商品（又はサービス）の対価の額の請求に関する情報をバーコードで表示するステップであることを特徴とする。
【００１９】
又、前記ステップ１５６ａは、バーコードリーダにより前記端末装置に表示されたバーコードを読み込んで、前記商品（又はサービス）の対価の額の請求に関する情報を入力するステップであることを特徴とする。
【００２０】
これらのステップにより、バーコードリーダを有するＰＯＳ装置等で、簡単に請求書を読み込むことが出来る。
又、前記の課題は、ネットワークに接続され、顧客が使用する端末装置と、前記ネットワークに接続され、金融機関が使用する中央処理装置２とを用いて決済を行う方法であって、前記顧客の識別情報が前記中央処理装置２に入力されるステップ１８１ａと、前記顧客が注文（又は利用）した商品（又はサービス）に関する情報が前記中央処理装置２に入力されるステップ１８１ｂと、前記商品（又はサービス）の提供先の識別情報が前記中央処理装置２に入力されるステップ１８１ｃと、前記中央処理装置２が、前記ステップ１８１ｃで入力された前記商品（又はサービス）の提供先の識別情報に基づいて、前記商品（又はサービス）の提供先から前記顧客が注文（又は利用）した商品（又はサービス）の対価の請求がある旨の内容の電子メールを生成するステップ１８２と、前記中央処理装置２が、前記ステップ１８１ａで入力された前記顧客の識別情報に基づいて、前記ステップ１８２で生成した前記電子メールを前記端末装置に向けて前記ネットワークを介して送信するステップ１８３と、前記端末装置が、前記中央処理装置２から前記商品（又はサービス）の対価の請求がある旨の内容の電子メールを受信するステップ１８４と、前記端末装置が、前記顧客名義の口座に関する第一の情報を前記中央処理装置２に向けて送信するステップ１８５ａと、前記端末装置が、前記顧客名義の口座に関する第二の情報を前記中央処理装置２に向けて送信するステップ１８５ｂと、前記端末装置が、前記顧客が注文（又は利用）した商品（又はサービス）の対価の額の請求に関する情報を送信されたし旨の情報を前記中央処理装置２に向けて送信するステップ１８５ｃと、前記中央処理装置２が、前記端末装置から前記顧客名義の口座に関する第一の情報を受信するステップ１８６ａと、前記中央処理装置２が、前記顧客名義の口座に関する第二の情報を受信するステップ１８６ｂと、前記中央処理装置２が、前記顧客が注文（又は利用）した商品（又はサービス）の対価の額の請求に関する情報を送信されたし旨の情報を受信するステップ１８６ｃと、前記中央処理装置２が、前記端末装置から受信した前記顧客名義の口座に関する第一の情報、前記顧客名義の口座に関する第二の情報、及び／又は前記顧客が注文（又は利用）した商品（又はサービス）の対価の額の請求に関する情報を送信されたし旨の情報に基づいて、又、前記ステップ１８１ｂで入力された前記商品（又はサービス）に関する情報に基づいて、前記顧客が注文（又は利用）した商品（又はサービス）の対価の額の請求に関する情報を前記端末装置に向けて送信するステップ１８７と、前記端末装置が、前記中央処理装置２から前記商品（又はサービス）の対価の額の請求に関する情報を受信するステップ１８８と、前記端末装置が、前記顧客が注文（又は利用）した商品（又はサービス）の対価の額の決済に関する情報を前記中央処理装置２に向けて送信するステップ１８９と、前記中央処理装置２が、前記商品（又はサービス）の対価の額の決済に関する情報を受信するステップ１８１０と、前記中央処理装置２が、前記端末装置から受信した前記顧客名義の口座に関する第一の情報、前記顧客名義の口座に関する第二の情報、及び／又は前記商品（又はサービス）の対価の額の決済に関する情報に基づいて、前記顧客名義の口座から前記提供先名義の口座に前記商品（又はサービス）の対価の額の移動を指示するステップ１８１１とを有することを特徴とする決済方法によって解決される。
【００２１】
これらのステップにより、本人確認を行なってから請求する商品（又はサービス）の対価の額を出力できる。又、本人確認を行なってから決済ができる。
又、前記決済方法は、前記端末装置が、前記ステップ１８４で受信した前記電子メールを出力するステップ１９１と、前記端末装置が、前記ステップ１８８で受信した前記商品（又はサービス）の対価の額の請求に関する情報を出力するステップ１９２とを有することを特徴とする。
【００２２】
これらのステップにより、顧客は、受信した請求書を確認することができる。
特に、前記中央処理装置２は、顧客名義の口座に関する第一の情報、及び金融機関に登録されている顧客名義の口座に関する第二の情報が記憶されたテーブルを有し、前記決済方法は、前記中央処理装置２が、前記端末装置から受信した前記顧客名義の口座に関する第一の情報に基づいて、前記中央処理装置２のテーブルから前記顧客名義の口座に関する第二の情報を読出し、前記中央処理装置２のテーブルから読出した前記顧客名義の口座に関する第二の情報と、前記端末装置から受信した前記顧客名義の口座に関する第二の情報とを比較するステップ２０１を有し、前記ステップ１８７は、前記ステップ２０１による比較の結果、前記中央処理装置２のテーブルで読出した前記顧客名義の口座に関する第二の情報と、前記端末装置から受信した前記顧客名義の口座に関する第二の情報とが同じである場合に、前記ステップ１８１ｂで入力した前記商品（又はサービス）に関する情報に基づいて、前記顧客が注文（又は利用）した商品（又はサービス）の対価の額の請求に関する情報を前記端末装置に向けて送信するステップであることを特徴とする。
【００２３】
又、前記の課題は、ネットワークに接続され、顧客が使用する端末装置と、前記ネットワークに接続される中央処理装置１と、前記ネットワークに接続され、金融機関が使用する中央処理装置２とを用いて決済を行う方法であって、前記顧客の識別情報が前記中央処理装置１に入力されるステップ２１１ａと、前記顧客が注文（又は利用）した商品（又はサービス）に関する情報が前記中央処理装置１に入力されるステップ２１１ｂと、前記中央処理装置１が、前記ステップ２１１ａで入力された前記顧客の識別情報、及び／又は前記ステップ２１１ｂで入力された前記商品（又はサービス）に関する情報に基づいて、前記顧客が注文（又は利用）した商品（又はサービス）の対価の額の請求に関する内容の電子メールを生成するステップ２１２と、前記中央処理装置１が、前記ステップ２１２で生成した前記電子メールを前記端末装置に向けて前記ネットワークを介して送信するステップ２１３と、前記端末装置が、前記中央処理装置１から前記商品（又はサービス）の対価の額の請求に関する内容の電子メールを受信するステップ２１４と、前記端末装置が、前記顧客名義の口座に関する第一の情報を前記中央処理装置２に向けて送信するステップ２１５ａと、前記端末装置が、前記顧客名義の口座に関する第二の情報を前記中央処理装置２に向けて送信するステップ２１５ｂと、前記端末装置が、前記顧客が注文（又は利用）した商品（又はサービス）の対価の額の決済に関する情報を前記中央処理装置２に向けて送信するステップ２１５ｃと、前記中央処理装置２が、前記端末装置から前記顧客名義の口座に関する第一の情報を受信するステップ２１６ａと、前記中央処理装置２が、前記端末装置から前記顧客名義の口座に関する第二の情報を受信するステップ２１６ｂと、前記中央処理装置２が、前記端末装置から前記商品（又はサービス）の対価の額の決済に関する情報を受信するステップ２１６ｃと、前記中央処理装置２が、前記端末装置から受信した前記顧客名義の口座に関する第一の情報、前記顧客名義の口座に関する第二の情報、及び／又は前記商品（又はサービス）の対価の額の決済に関する情報に基づいて、前記顧客名義の口座から前記提供先名義の口座に前記商品（又はサービス）の対価の額の移動を指示するステップ１８１１とを有することを特徴とする決済方法によって解決される。
【００２４】
これらのステップにより、顧客が希望する金融機関で決済ができる。
又、前記決済方法は、前記中央処理装置２が、前記ステップ１８１１で前記顧客名義の口座から前記提供先名義の口座に前記商品（又はサービス）の対価の額の移動を指示した場合、前記顧客名義の口座から前記提供先名義の口座に前記商品（又はサービス）の対価の額の移動を指示した旨の情報を前記中央処理装置１に向けて送信するステップ２２１を有することを特徴とする。
【００２５】
このステップにより、商品（又はサービス）の提供先は、商品（又はサービス）の対価の額が入金されたことが確認できる。
又、前記決済方法は、前記端末装置が、前記ステップ２１４で受信した前記電子メールを出力するステップ２３１を有することを特徴とする。
【００２６】
このステップにより、顧客は、受信した請求書を確認することができる。
又、前記中央処理装置２は、顧客名義の口座に関する第一の情報、及び金融機関に登録されている顧客名義の口座に関する第二の情報が記憶されたテーブルを有し、前記決済方法は、前記中央処理装置２が、前記端末装置から受信した前記顧客名義の口座に関する第一の情報に基づいて、前記中央処理装置２のテーブルから前記顧客名義の口座に関する第二の情報を読出し、前記中央処理装置２のテーブルから読出した前記顧客名義の口座に関する第二の情報と、前記端末装置から受信した前記顧客名義の口座に関する第二の情報とを比較するステップ２０１を有し、前記ステップ１８１１は、前記ステップ２０１による比較の結果、前記中央処理装置２のテーブルで読出した前記顧客名義の口座に関する第二の情報と、前記端末装置から受信した前記顧客名義の口座に関する第二の情報とが同じである場合に、前記商品（又はサービス）の対価の額の決済に関する情報に基づいて、前記顧客名義の口座から前記提供先名義の口座に前記商品（又はサービス）の対価の額の移動を指示するステップであることを特徴とする。
【００２７】
特に、前記決済方法は、前記端末装置が、前記出力した前記商品（又はサービス）の対価の額の請求に関する情報を前記端末装置のテーブルに記憶するステップ２５１と、前記端末装置が、前記端末装置のテーブルに記憶した前記商品（又はサービス）の対価の額の請求に関する情報を読出し、この読出した前記商品（又はサービス）の対価の額の請求に関する情報を出力するステップ２５２とを有することを特徴とする。
【００２８】
このステップにより、顧客は、受信した請求書を、後日確認することができる。
【発明の効果】
【００２９】
請求書を印刷する必要が無い。請求書を人手を介して郵送又は発送する必要が無い。従って、極めて簡単かつ低廉なコストで請求書を発行できる。
【００３０】
顧客は、印刷された請求書を持ってい無くとも、外出時に携帯している端末装置（携帯電話）を請求書として利用できる。
【発明を実施するための最良の形態】
【００３１】
本発明の決済システムは、商品（又はサービス）が注文（又は利用）された場合に、前記商品（又はサービス）に対する決済処理を行う為のシステムであって、前記システムは、ネットワークに接続され、顧客が使用する端末装置と、前記ネットワークに接続される中央処理装置１とを有し、前記端末装置は、前記中央処理装置１から前記商品（又はサービス）の対価の額の請求に関する内容の電子メールを受信することが出来る第一の受信手段と、この第一の受信手段で受信した前記電子メールを出力することが出来る出力手段とを有し、前記中央処理装置１は、前記顧客の識別情報、前記顧客が注文（又は利用）した商品（又はサービス）に関する情報、前記顧客が注文（又は利用）した商品（又はサービス）の対価の額の請求に関する情報、及び／又は前記商品（又はサービス）の対価の額を前記顧客から受け取った旨の情報を入力することが出来る入力手段と、この入力手段で入力した前記商品（又はサービス）に関する情報に基づいて、前記顧客が注文（又は利用）した商品（又はサービス）の対価の額の請求に関する内容の電子メールを生成することが出来る第一の生成手段と、前記入力手段で入力した前記顧客の識別情報に基づいて、前記第一の生成手段で生成した前記電子メールを前記端末装置に向けて前記ネットワークを介して送信することが出来る第一の送信手段と、前記入力手段で入力した前記商品（又はサービス）の対価の額の請求に関する情報、及び／又は前記商品（又はサービス）の対価の額を前記顧客から受け取った旨の情報に基づいて、前記商品（又はサービス）の対価の額の領収に関する情報を出力することが出来る出力手段とを有する。特に、前記商品（又はサービス）の対価の額の請求に関する情報が、前記商品（又はサービス）の対価の額の請求に関する内容の電子メールに基づいて、前記端末装置の出力手段にバーコードで表示されるように構成されたことを特徴とする。又、前記中央処理装置１の入力手段は、バーコードリーダを有しており、前記バーコードリーダは、前記端末装置の出力手段に表示されたバーコードを読み込むことにより前記商品（又はサービス）の対価の額の請求に関する情報を入力出来るよう構成されてなる。又は、本発明の決済システムは、ネットワークに接続され、顧客が使用する端末装置と、前記ネットワークに接続され、金融機関が使用する中央処理装置２とを有し、前記端末装置は、前記中央処理装置２から前記商品（又はサービス）の対価の請求がある旨の内容の電子メールを受信することが出来る第一の受信手段と、前記中央処理装置２から前記商品（又はサービス）の対価の額の請求に関する情報を受信することが出来る第二の受信手段と、前記顧客名義の口座に関する第一の情報、前記顧客名義の口座に関する第二の情報、前記顧客が注文（又は利用）した商品（又はサービス）の対価の額の請求に関する情報を送信されたし旨の情報、及び／又は前記商品（又はサービス）の対価の額の決済に関する情報を前記中央処理装置２に向けて送信することが出来る第一の送信手段とを有し、前記中央処理装置２は、前記顧客の識別情報、前記顧客が注文（又は利用）した商品（又はサービス）に関する情報、及び／又は前記商品（又はサービス）の提供先の識別情報を入力することが出来る入力手段と、前記端末装置から前記顧客名義の口座に関する第一の情報、前記顧客名義の口座に関する第二の情報、前記顧客が注文（又は利用）した商品（又はサービス）の対価の額の請求に関する情報を送信されたし旨の情報、及び／又は前記商品（又はサービス）の対価の額の決済に関する情報を受信することが出来る受信手段と、前記入力手段で入力した前記商品（又はサービス）の提供先の識別情報に基づいて、前記商品（又はサービス）の提供先から前記顧客が注文（又は利用）した商品（又はサービス）の対価の請求がある旨の内容の電子メールを生成することが出来る第二の生成手段と、前記入力手段で入力した前記顧客の識別情報に基づいて、前記第二の生成手段で生成した前記電子メールを前記端末装置に向けて前記ネットワークを介して送信することが出来る第一の送信手段と、前記受信手段で受信した前記顧客名義の口座に関する第一の情報、前記顧客名義の口座に関する第二の情報、及び／又は前記顧客が注文（又は利用）した商品（又はサービス）の対価の額の請求に関する情報を送信されたし旨の情報に基づいて、又、前記入力手段で入力した前記商品（又はサービス）に関する情報に基づいて、前記顧客が注文（又は利用）した商品（又はサービス）の対価の額の請求に関する情報を前記端末装置に向けて送信することが出来る第二の送信手段と、前記受信手段で受信した前記顧客名義の口座に関する第一の情報、前記顧客名義の口座に関する第二の情報、及び／又は前記商品（又はサービス）の対価の額の決済に関する情報に基づいて、前記顧客名義の口座から前記提供先名義の口座に前記商品（又はサービス）の対価の額の移動を指示することが出来る指示手段とを有する。特に、前記端末装置は、前記第一の受信手段で受信した前記電子メール、及び／又は前記第二の受信手段で受信した前記商品（又はサービス）の対価の額の請求に関する情報を出力することが出来る出力手段を有する。又、前記中央処理装置２は、顧客名義の口座に関する第一の情報、及び前記金融機関に登録されている顧客名義の口座に関する第二の情報が記憶されたテーブルと、前記端末装置から受信した前記顧客名義の口座に関する第一の情報に基づいて、前記中央処理装置２のテーブルから前記顧客名義の口座に関する第二の情報を読出し、前記中央処理装置２のテーブルから読出した前記顧客名義の口座に関する第二の情報と、前記端末装置から受信した前記顧客名義の口座に関する第二の情報とを比較する比較手段とを有し、前記中央処理装置２の第二の送信手段は、前記比較手段による比較の結果、前記中央処理装置２のテーブルで読出した前記顧客名義の口座に関する第二の情報と、前記端末装置から受信した前記顧客名義の口座に関する第二の情報とが同じである場合に、前記入力手段で入力した前記顧客が注文（又は利用）した商品（又はサービス）の対価の額の請求に関する情報を送信されたし旨の情報に基づいて、前記顧客が注文（又は利用）した商品（又はサービス）の対価の額の請求に関する情報を前記端末装置に向けて送信する手段である。或いは、本発明の決済システムは、ネットワークに接続され、顧客が使用する端末装置と、前記ネットワークに接続される中央処理装置１と前記ネットワークに接続され、金融機関が使用する中央処理装置２とを有し、前記端末装置は、前記中央処理装置１から前記商品（又はサービス）の対価の額の請求に関する内容の電子メールを受信することが出来る第一の受信手段と、前記顧客名義の口座に関する第一の情報、前記顧客名義の口座に関する第二の情報、及び／又は前記商品（又はサービス）の対価の額の決済に関する情報を前記中央処理装置２に向けて送信することが出来る第一の送信手段とを有し、前記中央処理装置１は、前記顧客の識別情報、及び／又は前記顧客が注文（又は利用）した商品（又はサービス）に関する情報を入力することが出来る入力手段と、この入力手段で入力した前記商品（又はサービス）に関する情報に基づいて、前記顧客が注文（又は利用）した商品（又はサービス）の対価の額の請求に関する内容の電子メールを生成することが出来る第一の生成手段と、前記入力手段で入力した前記顧客の識別情報に基づいて、前記第一の生成手段で生成した前記電子メールを前記端末装置に向けて前記ネットワークを介して送信することが出来る第一の送信手段とを有し、前記中央処理装置２は、前記端末装置から前記顧客名義の口座に関する第一の情報、前記顧客名義の口座に関する第二の情報、及び／又は前記商品（又はサービス）の対価の額の決済に関する情報を受信することが出来る受信手段と、この受信手段で受信した前記顧客名義の口座に関する第一の情報、前記顧客名義の口座に関する第二の情報、及び／又は前記商品（又はサービス）の対価の額の決済に関する情報に基づいて、前記顧客名義の口座から前記提供先名義の口座に前記商品（又はサービス）の対価の額の移動を指示することが出来る指示手段とを有する。更に、前記中央処理装置２は、前記指示手段で前記顧客名義の口座から前記提供先名義の口座に前記商品（又はサービス）の対価の額の移動を指示した場合、前記顧客名義の口座から前記提供先名義の口座に前記商品（又はサービス）の対価の額の移動を指示した旨の情報を前記中央処理装置１に向けて送信することが出来る手段を有する。又、前記端末装置は、前記第一の受信手段で受信した前記電子メールを出力することが出来る出力手段を有する。又、前記中央処理装置２は、顧客名義の口座に関する第一の情報、及び前記金融機関に登録されている顧客名義の口座に関する第二の情報が記憶されたテーブルと、前記端末装置から受信した前記顧客名義の口座に関する第一の情報に基づいて、前記中央処理装置２のテーブルから前記顧客名義の口座に関する第二の情報を読出し、前記中央処理装置２のテーブルから読出した前記顧客名義の口座に関する第二の情報と、前記端末装置から受信した前記顧客名義の口座に関する第二の情報とを比較する比較手段とを有し、前記中央処理装置２の指示手段は、前記比較手段による比較の結果、前記中央処理装置２のテーブルで読出した前記顧客名義の口座に関する第二の情報と、前記端末装置から受信した前記顧客名義の口座に関する第二の情報とが同じである場合に、前記端末装置から受信した前記商品（又はサービス）の対価の額の決済に関する情報に基づいて、前記顧客名義の口座から前記提供先名義の口座に前記商品（又はサービス）の対価の額の移動を指示する手段である。
【００３２】
又、前記端末装置は、前記端末装置の出力手段で出力した前記商品（又はサービス）の対価の額の請求に関する情報を記憶するテーブルを有し、前記端末装置のテーブルに記憶された前記商品（又はサービス）の対価の額の請求に関する情報を、前記端末装置の出力手段で出力できるように構成した。特に、前記ネットワークは、インターネットである。又、前記端末装置と、前記ネットワークとは、無線、及び／又は公衆回線で接続される。特に、前記端末装置は、移動体端末装置である。
【００３３】
本発明の決済方法は、ネットワークに接続され、顧客が使用する端末装置と、前記ネットワークに接続される中央処理装置１とを用いて決済を行う方法であって、前記顧客の識別情報が前記中央処理装置１に入力されるステップ１５１ａと、前記顧客が注文（又は利用）した商品（又はサービス）に関する情報が前記中央処理装置１に入力されるステップ１５１ｂと、前記中央処理装置１が、前記ステップ１５１ｂで入力された前記商品（又はサービス）に関する情報に基づいて、前記顧客が注文（又は利用）した商品（又はサービス）の対価の額の請求に関する内容の電子メールを生成するステップ１５２と、前記中央処理装置１が、前記ステップ１５１ａで入力された前記顧客の識別情報に基づいて、前記ステップ１５２で生成した前記電子メールを前記端末装置に向けて前記ネットワークを介して送信するステップ１５３と、前記端末装置が、前記中央処理装置１から前記商品（又はサービス）の対価の額の請求に関する内容の電子メールを受信するステップ１５４と、前記端末装置が、前記ステップ１５４で受信した前記電子メールを出力するステップ１５５と、前記商品（又はサービス）の対価の額の請求に関する情報が前記中央処理装置１に入力されるステップ１５６ａと、前記商品（又はサービス）の対価の額を前記顧客から受け取った旨の情報が前記中央処理装置１に入力されるステップ１５６ｂと、前記中央処理装置１が、前記ステップ１５６ａで入力された前記商品（又はサービス）の対価の額の請求に関する情報、及び前記ステップ１５６ｂで入力された前記商品（又はサービス）の対価の額を前記顧客から受け取った旨の情報に基づいて、前記商品（又はサービス）の対価の額の領収に関する情報を出力するステップ１５７とを有する。特に、前記ステップ１５５は、前記端末装置が、前記ステップ１５４で受信した前記電子メールに基づいて、前記商品（又はサービス）の対価の額の請求に関する情報をバーコードで表示するステップである。
【００３４】
又、前記ステップ１５６ａは、バーコードリーダにより前記端末装置に表示されたバーコードを読み込んで、前記商品（又はサービス）の対価の額の請求に関する情報を入力するステップである。又は、本発明の決済方法は、前記顧客の識別情報が前記中央処理装置２に入力されるステップ１８１ａと、前記顧客が注文（又は利用）した商品（又はサービス）に関する情報が前記中央処理装置２に入力されるステップ１８１ｂと、前記商品（又はサービス）の提供先の識別情報が前記中央処理装置２に入力されるステップ１８１ｃと、前記中央処理装置２が、前記ステップ１８１ｃで入力された前記商品（又はサービス）の提供先の識別情報に基づいて、前記商品（又はサービス）の提供先から前記顧客が注文（又は利用）した商品（又はサービス）の対価の請求がある旨の内容の電子メールを生成するステップ１８２と、前記中央処理装置２が、前記ステップ１８１ａで入力された前記顧客の識別情報に基づいて、前記ステップ１８２で生成した前記電子メールを前記端末装置に向けて前記ネットワークを介して送信するステップ１８３と、前記端末装置が、前記中央処理装置２から前記商品（又はサービス）の対価の請求がある旨の内容の電子メールを受信するステップ１８４と、前記端末装置が、前記顧客名義の口座に関する第一の情報を前記中央処理装置２に向けて送信するステップ１８５ａと、前記端末装置が、前記顧客名義の口座に関する第二の情報を前記中央処理装置２に向けて送信するステップ１８５ｂと、前記端末装置が、前記顧客が注文（又は利用）した商品（又はサービス）の対価の額の請求に関する情報を送信されたし旨の情報を前記中央処理装置２に向けて送信するステップ１８５ｃと、前記中央処理装置２が、前記端末装置から前記顧客名義の口座に関する第一の情報を受信するステップ１８６ａと、前記中央処理装置２が、前記顧客名義の口座に関する第二の情報を受信するステップ１８６ｂと、前記中央処理装置２が、前記顧客が注文（又は利用）した商品（又はサービス）の対価の額の請求に関する情報を送信されたし旨の情報を受信するステップ１８６ｃと、前記中央処理装置２が、前記端末装置から受信した前記顧客名義の口座に関する第一の情報、前記顧客名義の口座に関する第二の情報、及び／又は前記顧客が注文（又は利用）した商品（又はサービス）の対価の額の請求に関する情報を送信されたし旨の情報に基づいて、又、前記ステップ１８１ｂで入力された前記商品（又はサービス）に関する情報に基づいて、前記顧客が注文（又は利用）した商品（又はサービス）の対価の額の請求に関する情報を前記端末装置に向けて送信するステップ１８７と、前記端末装置が、前記中央処理装置２から前記商品（又はサービス）の対価の額の請求に関する情報を受信するステップ１８８と、前記端末装置が、前記顧客が注文（又は利用）した商品（又はサービス）の対価の額の決済に関する情報を前記中央処理装置２に向けて送信するステップ１８９と、前記中央処理装置２が、前記商品（又はサービス）の対価の額の決済に関する情報を受信するステップ１８１０と、前記中央処理装置２が、前記端末装置から受信した前記顧客名義の口座に関する第一の情報、前記顧客名義の口座に関する第二の情報、及び／又は前記商品（又はサービス）の対価の額の決済に関する情報に基づいて、前記顧客名義の口座から前記提供先名義の口座に前記商品（又はサービス）の対価の額の移動を指示するステップ１８１１とを有する。更に、前記決済方法は、前記端末装置が、前記ステップ１８４で受信した前記電子メールを出力するステップ１９１と、前記端末装置が、前記ステップ１８８で受信した前記商品（又はサービス）の対価の額の請求に関する情報を出力するステップ１９２とを有する。特に、前記中央処理装置２は、顧客名義の口座に関する第一の情報、及び金融機関に登録されている顧客名義の口座に関する第二の情報が記憶されたテーブルを有し、前記決済方法は、前記中央処理装置２が、前記端末装置から受信した前記顧客名義の口座に関する第一の情報に基づいて、前記中央処理装置２のテーブルから前記顧客名義の口座に関する第二の情報を読出し、前記中央処理装置２のテーブルから読出した前記顧客名義の口座に関する第二の情報と、前記端末装置から受信した前記顧客名義の口座に関する第二の情報とを比較するステップ２０１を有し、前記ステップ１８７は、前記ステップ２０１による比較の結果、前記中央処理装置２のテーブルで読出した前記顧客名義の口座に関する第二の情報と、前記端末装置から受信した前記顧客名義の口座に関する第二の情報とが同じである場合に、前記ステップ１８１ｂで入力した前記商品（又はサービス）に関する情報に基づいて、前記顧客が注文（又は利用）した商品（又はサービス）の対価の額の請求に関する情報を前記端末装置に向けて送信するステップである。或いは、本発明の決済方法は、前記顧客の識別情報が前記中央処理装置１に入力されるステップ２１１ａと、前記顧客が注文（又は利用）した商品（又はサービス）に関する情報が前記中央処理装置１に入力されるステップ２１１ｂと、前記中央処理装置１が、前記ステップ２１１ａで入力された前記顧客の識別情報、及び／又は前記ステップ２１１ｂで入力された前記商品（又はサービス）に関する情報に基づいて、前記顧客が注文（又は利用）した商品（又はサービス）の対価の額の請求に関する内容の電子メールを生成するステップ２１２と、前記中央処理装置１が、前記ステップ２１２で生成した前記電子メールを前記端末装置に向けて前記ネットワークを介して送信するステップ２１３と、前記端末装置が、前記中央処理装置１から前記商品（又はサービス）の対価の額の請求に関する内容の電子メールを受信するステップ２１４と、前記端末装置が、前記顧客名義の口座に関する第一の情報を前記中央処理装置２に向けて送信するステップ２１５ａと、前記端末装置が、前記顧客名義の口座に関する第二の情報を前記中央処理装置２に向けて送信するステップ２１５ｂと、前記端末装置が、前記顧客が注文（又は利用）した商品（又はサービス）の対価の額の決済に関する情報を前記中央処理装置２に向けて送信するステップ２１５ｃと、前記中央処理装置２が、前記端末装置から前記顧客名義の口座に関する第一の情報を受信するステップ２１６ａと、前記中央処理装置２が、前記端末装置から前記顧客名義の口座に関する第二の情報を受信するステップ２１６ｂと、前記中央処理装置２が、前記端末装置から前記商品（又はサービス）の対価の額の決済に関する情報を受信するステップ２１６ｃと、前記中央処理装置２が、前記端末装置から受信した前記顧客名義の口座に関する第一の情報、前記顧客名義の口座に関する第二の情報、及び／又は前記商品（又はサービス）の対価の額の決済に関する情報に基づいて、前記顧客名義の口座から前記提供先名義の口座に前記商品（又はサービス）の対価の額の移動を指示するステップ１８１１とを有する。更に、前記決済方法は、前記中央処理装置２が、前記ステップ１８１１で前記顧客名義の口座から前記提供先名義の口座に前記商品（又はサービス）の対価の額の移動を指示した場合、前記顧客名義の口座から前記提供先名義の口座に前記商品（又はサービス）の対価の額の移動を指示した旨の情報を前記中央処理装置１に向けて送信するステップ２２１を有する。又、前記決済方法は、前記端末装置が、前記ステップ２１４で受信した前記電子メールを出力するステップ２３１を有する。又、前記中央処理装置２は、顧客名義の口座に関する第一の情報、及び金融機関に登録されている顧客名義の口座に関する第二の情報が記憶されたテーブルを有し、前記決済方法は、前記中央処理装置２が、前記端末装置から受信した前記顧客名義の口座に関する第一の情報に基づいて、前記中央処理装置２のテーブルから前記顧客名義の口座に関する第二の情報を読出し、前記中央処理装置２のテーブルから読出した前記顧客名義の口座に関する第二の情報と、前記端末装置から受信した前記顧客名義の口座に関する第二の情報とを比較するステップ２０１を有し、前記ステップ１８１１は、前記ステップ２０１による比較の結果、前記中央処理装置２のテーブルで読出した前記顧客名義の口座に関する第二の情報と、前記端末装置から受信した前記顧客名義の口座に関する第二の情報とが同じである場合に、前記商品（又はサービス）の対価の額の決済に関する情報に基づいて、前記顧客名義の口座から前記提供先名義の口座に前記商品（又はサービス）の対価の額の移動を指示するステップである。
【００３５】
又、前記決済方法は、前記端末装置が、前記出力した前記商品（又はサービス）の対価の額の請求に関する情報を前記端末装置のテーブルに記憶するステップ２５１と、前記端末装置が、前記端末装置のテーブルに記憶した前記商品（又はサービス）の対価の額の請求に関する情報を読出し、この読出した前記商品（又はサービス）の対価の額の請求に関する情報を出力するステップ２５２とを有する。
【００３６】
以下、図１〜図８を用いて、更に詳しく説明する。
図１は、本発明に係る決済システムの構成図である。図２、図３は、本発明に係る端末装置が表示する画面の一例である。図４は、本発明に係る中央処理装置２のテーブルである。図５は、本発明に係る端末装置のテーブルである。図６〜図８は、本発明のフローチャートである。
【００３７】
各図中、１は、中央処理装置であり、例えば、商品（又はサービス）の提供先が所有するホストコンピュータである。中央処理装置１は、制御手段１Ａ、演算手段１Ｂ、通信手段（例えば、モデム）１Ｃ、記憶手段１Ｄ、入力手段（例えば、キーボード、バーコードリーダ、フレキシブルディスクドライブ、及び／又はスキャナー）１Ｅ、出力手段（例えば、モニタ、スピーカ、及び／又はプリンタ）１Ｆ、及び読取手段（例えば、カードリーダ）１Ｇを有する。中央処理装置１の通信手段１Ｃは、直接、及び／又は公衆回線を介してネットワークに接続される。ここで、ネットワークとは、例えばインターネット、金融機関等の専用ネットワーク等である。
【００３８】
２は、中央処理装置であり、例えば金融機関が所有するホストコンピュータである。中央処理装置２は、制御手段２Ａ、演算手段２Ｂ、通信手段（例えば、モデム）２Ｃ、記憶手段２Ｄ、入力手段（例えば、キーボード、バーコードリーダ、フレキシブルディスクドライブ、及び／又はスキャナー）２Ｅ、出力手段（例えば、モニタ、スピーカ、及び／又はプリンタ）２Ｆ、及び読取手段（例えば、カードリーダ）２Ｇを有する。中央処理装置２の通信手段２Ｃは、直接、及び／又は公衆回線を介してネットワークに接続される中央処理装置１と中央処理装置２とは、ネットワーク、及び又は専用回線を介して接続される。或いは、中央処理装置１と中央処理装置２とは、公衆回線（無線又は有線）を介して接続される。
【００３９】
尚、中央処理装置１は、金融機関の中央処理装置２に合体させても良い。
以下、具体的に説明する為に、商品（又はサービス）の提供先が中央処理装置１を使用し、金融機関が中央処理装置２を使用するものとして説明する。
【００４０】
３は、端末装置であり、顧客が使用する移動体端末装置である。例えば、端末装置３は、顧客が所有するいわゆる携帯電話である。端末装置３は、制御手段３Ａ、演算手段３Ｂ、通信手段（例えば、無線による送受信機、及び／又はモデム）３Ｃ、記憶手段３Ｄ、入力手段（例えば、音声入力装置であるスピーカ、及び／又はキーボード）３Ｅ、出力手段（例えば、音声出力装置であるスピーカ、映像出力装置であるモニタ）３Ｆ、及び読取手段（例えば、カードリーダ）３Ｇを有する。
【００４１】
端末装置３は、顧客が注文（又は利用）した商品（又はサービス）の対価の額の請求に関する情報いわゆる請求書を受信して出力するものである。端末装置３の通信手段３Ｃは、無線、及び／又は公衆回線（無線又は有線）を介してネットワークに接続される。すなわち、端末装置３と中央処理装置１とは、無線、公衆回線（無線又は有線）、及び／又はネットワークを介して接続される。
【００４２】
また、端末装置３と中央処理装置２とは、無線、公衆回線（無線又は有線）、及び／又はネットワークを介して接続される。
中央処理装置１の制御手段１Ａは、オペレータが入力した顧客の識別情報をキーボード（入力手段１Ｅ）で入力する。例えば、顧客の識別情報とは、顧客の電子メールアドレスである。
【００４３】
中央処理装置１には、顧客が注文（又は利用）した商品（又はサービス）に関する情報がキーボード（入力手段１Ｅ）で入力される。例えば、顧客が□□会社で冬物コートを購入した場合、オペレータは、キーボード（入力手段１Ｅ）に「１０月１６日冬物コート代  ￥１０００」（顧客が注文（又は利用）した商品（又はサービス）に関する情報）を入力する。
【００４４】
中央処理装置１には、顧客が注文（又は利用）した商品（又はサービス）の対価の額の請求に関する情報がキーボード（入力手段１Ｅ）で入力される。ここで、顧客が注文（又は利用）した商品（又はサービス）の対価の額の請求に関する情報とは、いわゆる請求書に記載される情報である。例えば、「請求書番号：１１１１番  １０月１６日冬物コート代  ご請求額￥１０００  請求元□□会社振込先○○銀行○○口座」である。或いは、中央処理装置１の制御手段１Ａは、端末装置３の出力手段３Ｆに表示されたバーコードをバーコードリーダ（入力手段１Ｅ）で読み込んで、顧客が注文（又は利用）した商品（又はサービス）の対価の額の請求に関する情報を入力する。
【００４５】
中央処理装置１には、商品（又はサービス）の対価の額を前記顧客から受け取った旨の情報がキーボード（入力手段１Ｅ）で入力される。すなわち、オペレータは、顧客から商品（又はサービス）の対価の額を受け取ると、キーボード（入力手段１Ｅ）に顧客から商品（又はサービス）の対価の額を受け取った旨の情報を入力する。例えば、オペレータは、中央処理装置１のモニタ（出力手段１Ｆ）に表示された「領収済み」の項目をキーボード（入力手段１Ｅ）の矢印キーで選んでキーボード（入力手段１Ｅ）のリターンキーを押下する。
【００４６】
尚、具体的に説明する為に、顧客が店頭で商品を購入した場合について、説明したが、顧客がインターネット等を介して商品（又はサービス）を購入しても良い。この場合、中央処理装置１の制御手段１Ａは、通信手段１Ｃを介して端末装置３から顧客の識別情報、及び／又は顧客が注文（又は利用）した商品（又はサービス）に関する情報を受信（入力）する。
【００４７】
中央処理装置１は、電子メールを生成する第一の生成手段を有する。
具体的に説明すると、中央処理装置１の第一の生成手段は、顧客の識別情報、及び顧客が注文（又は利用）した商品（又はサービス）に関する情報が入力手段１Ｅで入力された場合、中央処理装置１の制御手段１Ａが、入力手段１Ｅで入力した商品（又はサービス）に関する情報に基づいて、顧客が注文（又は利用）した商品（又はサービス）の対価の額の請求に関する内容の電子メールを生成する手段である。
【００４８】
例えば、顧客が□□会社で冬物コートを購入したものとする。そして、顧客は、購入した冬物コートの決済をボーナス一括払いにする旨と、顧客の電子メールアドレス「＊＊＊＠＊＊．ｃｏ．ｊｐ」（顧客の識別情報）とを□□会社の職員に知らせる。□□会社の職員は、顧客の電子メールアドレス「＊＊＊＠＊＊．ｃｏ．ｊｐ」（顧客の識別情報）、及び「１０月１６日冬物コート代  ￥１０００振込先○○銀行○○口座」（顧客が注文（又は利用）した商品（又はサービス）に関する情報）を中央処理装置１のキーボード（入力手段１Ｅ）で入力する。中央処理装置１の制御手段１Ａは、キーボード（入力手段１Ｅ）に入力された「１０月１６日冬物コート代  ￥１０００  振込先○○銀行○○口座」の情報より、「請求書番号：１１１１番  １０月１６日冬物コート代  ご請求額￥１０００請求元□□会社  振込先○○銀行○○口座」の内容に電子メールアドレス（「＊＊＊＠＊＊．ｃｏ．ｊｐ」）を付加した電子メールを生成する。
【００４９】
又は、顧客は、購入した冬物コートの決済をボーナス一括払いにする旨のみを□□会社の職員に知らせる。□□会社の職員は、「１０月１６日冬物コート代￥１０００  振込先○○銀行○○口座」（顧客が注文（又は利用）した商品（又はサービス）に関する情報）を中央処理装置１のキーボード（入力手段１Ｅ）で入力する。中央処理装置１の制御手段１Ａは、キーボード（入力手段１Ｅ）に入力された「１０月１６日冬物コート代  ￥１０００  振込先○○銀行○○口座」の情報より、「請求書番号：１１１１番  １０月１６日冬物コート代  ご請求額￥１０００  請求元□□会社  振込先○○銀行○○口座」の内容の電子メールを生成する。
【００５０】
ここで、中央処理装置１の第一の生成手段は、顧客が注文（又は利用）した商品（又はサービス）の対価の額の請求に関する内容をテキスト等の文字情報で生成する。この文字情報で生成した電子メールを端末装置３が表示した例を図２に示す。
【００５１】
又は、中央処理装置１の第一の生成手段は、顧客が注文（又は利用）した商品（又はサービス）の対価の額の請求に関する内容をバーコードで生成する。例えば、ビットマップ、ＧＩＦ（Ｇｒａｐｈｉｃ  Ｉｎｔｅｒｃｈａｎｇｅ  Ｆｏｒｍａｔ）等の映像情報として生成する。
【００５２】
或いは、中央処理装置１の第一の生成手段は、顧客が注文（又は利用）した商品（又はサービス）の対価の額の請求に関する内容を文字情報、及びバーコードの映像情報で生成する。この文字情報、及びバーコードの映像情報で生成した電子メールを端末装置３が表示した例を図３に示す。
【００５３】
中央処理装置１は、入力手段１Ｅで入力した顧客の識別情報に基づいて、中央処理装置１の第一の生成手段で生成した電子メールを顧客が使用する端末装置３に向けてネットワークを介して送信する第一の送信手段を有する。具体的に説明すると、中央処理装置１の制御手段１Ａが、中央処理装置１の第一の生成手段で生成した電子メールを、入力手段１Ｅで入力した顧客の電子メールアドレスに向けてネットワークを介して、いわゆるメールサーバーに向けて送信する手段である。
【００５４】
或いは、端末装置３がネットワーク等を介して中央処理装置１に接続した場合、第一の生成手段で生成した電子メールアドレスを付加してない電子メールを顧客が使用する端末装置３に向けてネットワークを介して送信する。具体的に説明すると、中央処理装置１の制御手段１Ａが、中央処理装置１の第一の生成手段で生成した電子メールアドレスを付加してない電子メールを、ネットワークを介して既に接続されている端末装置３に向けて送信する。
【００５５】
中央処理装置１は、入力手段１Ｅで入力した商品（又はサービス）の対価の額の請求に関する情報、及び商品（又はサービス）の対価の額を顧客から受け取った旨の情報に基づいて、商品（又はサービス）の対価の額の領収に関する情報を出力する出力手段１Ｆを有する。
【００５６】
例えば、中央処理装置１の制御手段１Ａは、キーボード（入力手段１Ｅ）で入力した顧客が注文（又は利用）した商品（又はサービス）の対価の額の請求に関する情報より、いわゆる領収書を生成する。すなわち、中央処理装置１の制御手段１Ａは、領収書をプリンタ（出力手段１Ｆ）で出力するものである。そして、プリンタ（出力手段１Ｆ）より出力された領収書は、顧客に渡される。
【００５７】
或いは、中央処理装置１の制御手段１Ａは、端末装置３の出力手段１Ｆに表示されたバーコードをバーコードリーダ（入力手段１Ｅ）で読み込んで、顧客が注文（又は利用）した商品（又はサービス）の対価の額の請求に関する情報を入力する。そして、中央処理装置１の制御手段１Ａは、入力された顧客が注文（又は利用）した商品（又はサービス）の対価の額の請求に関する情報より、領収書をプリンタ（出力手段１Ｆ）で出力する。
【００５８】
中央処理装置２の記憶手段２Ｄには、口座に関する第一の情報と、金融機関に登録されている口座に関する第二の情報とが関連付けられて記憶されている。ここで、口座に関する第一の情報とは、口座番号、又は事前に届出ている契約番号等である。又、口座に関する第二の情報とは、いわゆる暗証番号である。具体的に説明すると、中央処理装置２の制御手段２Ａは、記憶手段２ＤのテーブルＴ１（図４に、テーブルＴ１の例を示す）に顧客名義の口座に関する情報を関連づけて記憶する。ここで、顧客名義の口座に関する情報とは、「口座番号の情報（口座に関する第一の情報）」、「契約番号の情報（口座に関する第一の情報）」、「暗証番号の情報（口座に関する第二の情報）」、「顧客の住所（金融機関に登録されている住所）の情報」、「顧客の氏名（金融機関に登録されている氏名）の情報」、及び「口座の預金残高の情報」等である。例えば、顧客三和太郎様の場合、テーブルＴ１に、「口座番号の情報（１＊１−＊−１１１＊１１１）」、「契約番号の情報（１２３＊５６７）」「暗証番号の情報（９９＊９）」、「顧客の住所の情報（千代田区＊−＊）」、「顧客の氏名の情報（三和  太郎）」、及び「口座の預金残高の情報（￥１００００）」が記憶される。
【００５９】
中央処理装置２の制御手段２Ａは、オペレータが入力した顧客の識別情報をキーボード（入力手段１Ｅ）で入力する。例えば、顧客の識別情報とは、顧客の電子メールアドレスである。
【００６０】
中央処理装置２の制御手段２Ａは、オペレータが入力した顧客が注文（又は利用）した商品（又はサービス）に関する情報をキーボード（入力手段１Ｅ）で入力する。
中央処理装置２の制御手段２Ａは、オペレータが入力した商品（又はサービス）の提供先の識別情報をキーボード（入力手段１Ｅ）で入力する。例えば、商品（又はサービス）の提供先の識別情報とは、「□□会社（社名）」、「△△電話会社」等の社名である。
【００６１】
中央処理装置２の制御手段２Ａは、通信手段２Ｃを介して端末装置３から顧客名義の口座に関する第一の情報（口座番号）を受信する受信手段を有する。
又、中央処理装置２の制御手段２Ａは、通信手段２Ｃを介して端末装置３から顧客名義の口座に関する第二の情報を受信する受信手段を有する。例えば、中央処理装置２の受信手段は、顧客名義の口座に関する第二の情報を受信する手順が記憶手段１Ｄに記憶されたプログラムで構成される。例えば、中央処理装置２の受信手段は、顧客名義の口座に関する第二の情報を受信する手順が記載されたプログラムで実行される。或いは、この手順が電子回路で構成され、実行される。尚、プログラム等は、記憶手段１Ｄに記憶され。
【００６２】
又、中央処理装置２の制御手段２Ａは、通信手段２Ｃを介して端末装置３から顧客が注文（又は利用）した商品（又はサービス）の対価の額の請求に関する情報を送信されたし旨の情報を受信する受信手段を有する。
【００６３】
ここで、商品（又はサービス）の対価の額の請求に関する情報を送信されたし旨の情報とは、いわゆる請求書の送信を顧客が依頼する意思表示の情報である。例えば、中央処理装置２の制御手段２Ａが、端末装置３に「請求書を今受信する」の項目を表示させる。そして、通信手段２Ｃを介して端末装置３から「請求書を今受信する」の項目が押下された旨の情報を受信するものである。
【００６４】
中央処理装置２の制御手段２Ａは、通信手段２Ｃを介して端末装置３から商品（又はサービス）の対価の額の決済に関する情報を受信する受信手段を有する。
ここで、商品（又はサービス）の対価の額の決済に関する情報とは、決済を依頼する旨の情報である。例えば、口座振替、現金決済等の決済方法を顧客が依頼する旨の情報である。
【００６５】
中央処理装置２は、電子メールを生成する第二の生成手段を有する。
具体的に説明すると、中央処理装置２の第二の生成手段は、顧客の識別情報、顧客が注文（又は利用）した商品（又はサービス）に関する情報、及び／又は商品（又はサービス）の提供先の識別情報が入力手段２Ｅに入力された場合、商品（又はサービス）の提供先から顧客が注文（又は利用）した商品（又はサービス）の対価の請求がある旨の内容の電子メールを生成する手段である。
【００６６】
例えば、顧客が□□会社で冬物コートを購入したものとする。そして、顧客は、購入した冬物コートの決済をボーナス一括払いにする旨と、顧客の電子メールアドレス「＊＊＊＠＊＊．ｃｏ．ｊｐ」（顧客の識別情報）とを□□会社の職員に知らせる。□□会社の職員は、顧客の電子メールアドレス「＊＊＊＠＊＊．ｃｏ．ｊｐ」（顧客の識別情報）、「請求書番号：１２３４番  １０月１６日冬物コート代  ￥１０００  振込先○○銀行○○口座」（顧客が注文（又は利用）した商品（又はサービス）に関する情報）、及び／又は「□□会社（社名）」（商品（又はサービス）の提供先の識別情報）を金融機関に知らせる。この知らせを受けた金融機関の職員は、顧客の電子メールアドレス「＊＊＊＠＊＊．ｃｏ．ｊｐ」（顧客の識別情報）、「請求書番号：１２３４番  １０月１６日冬物コート代  ￥１０００  」（顧客が注文（又は利用）した商品（又はサービス）に関する情報）、及び／又は□□会社の社名（商品（又はサービス）の提供先の識別情報）を中央処理装置２のキーボード（入力手段２Ｅ）で入力する。中央処理装置２の制御手段２Ａは、キーボード（入力手段２Ｅ）に入力された□□会社の社名（商品（又はサービス）の提供先の識別情報）より、「請求書番号：１２３４番□□会社より代金ご請求が有ります。」旨の内容の電子メールを生成する。
【００６７】
中央処理装置２は、入力手段２Ｅで入力した顧客の識別情報（電子メールアドレス）に基づいて、第二の生成手段で生成した電子メールを顧客が所有する端末装置３に向けてネットワークを介して送信する第一の送信手段を有する。具体的に説明すると、中央処理装置２の制御手段２Ａが、第二の生成手段で生成した電子メールを、入力手段２Ｅで入力した顧客の電子メールアドレスに向けてネットワークを介して、いわゆるメールサーバーに送信する手段である。
【００６８】
中央処理装置２の比較手段は、端末装置３から受信した顧客名義の口座に関する第一の情報に基づいて、中央処理装置２のテーブルＴ１から顧客名義の口座に関する第二の情報を読出し、中央処理装置２のテーブルＴ１から読出した顧客名義の口座に関する第二の情報と、端末装置３から受信した顧客名義の口座に関する第二の情報とを比較する比較手段を有する。具体的に説明すると、中央処理装置２の制御手段２Ａが、中央処理装置２の通信手段２Ｃで受信した顧客の口座番号（顧客名義の口座に関する第一の情報）に関連づけられた顧客の暗証番号（顧客名義の口座に関する第二の情報）を、中央処理装置２のテーブルＴ１から読出し、この読出した顧客の暗証番号（顧客名義の口座に関する第二の情報）と、中央処理装置２の通信手段２Ｃで受信した顧客の暗証番号（顧客名義の口座に関する第二の情報）とを演算手段２Ｂに比較させる手段である。すなわち、中央処理装置２の制御手段２Ａは、比較手段による比較の結果、中央処理装置２のテーブルＴ１から読出した顧客の暗証番号（顧客名義の口座に関する第二の情報）と、端末装置３から受信した顧客の暗証番号（顧客名義の口座に関する第二の情報）とが同じである場合、顧客を本人と確認する。
【００６９】
中央処理装置２は、端末装置３から受信した顧客名義の口座に関する第一の情報、顧客名義の口座に関する第二の情報、及び顧客が注文（又は利用）した商品（又はサービス）の対価の額の請求に関する情報を送信されたし旨の情報に基づいて、又、入力手段１Ｅで入力した商品（又はサービス）に関する情報に基づいて、顧客が注文（又は利用）した商品（又はサービス）の対価の額の請求に関する情報を端末装置３に向けて送信する第二の送信手段を有する。
【００７０】
具体的に説明すると、中央処理装置２の制御手段２Ａが、中央処理装置２の比較手段による比較の結果、中央処理装置２のテーブルＴ１から読出した顧客の暗証番号（顧客名義の口座に関する第二の情報）と、端末装置から受信した顧客の暗証番号（顧客名義の口座に関する第二の情報）とが同じである場合に、中央処理装置２の入力手段２Ｅに入力された商品（又はサービス）に関する情報に基づいて、顧客が注文（又は利用）した商品（又はサービス）の対価の額を請求する旨の情報を端末装置３に向けて送信する手段である。
【００７１】
中央処理装置２は、端末装置３から受信した顧客名義の口座に関する第一の情報、顧客名義の口座に関する第二の情報、及び／又は商品（又はサービス）の対価の額の決済に関する情報を送信されたし旨の情報に基づいて、顧客名義の口座から商品（又はサービス）の提供先名義の口座に商品（又はサービス）の対価の額の移動を指示する指示手段を有する。
【００７２】
具体的に説明すると、中央処理装置２の制御手段２Ａが、中央処理装置２の比較手段による比較の結果、中央処理装置２のテーブルＴ１から読出した顧客の暗証番号（顧客名義の口座に関する第二の情報）と、端末装置３から受信した顧客の暗証番号（顧客名義の口座に関する第二の情報）とが同じである場合に、端末装置３から受信した商品（又はサービス）の対価の額の決済に関する情報に基づいて、顧客名義の口座から商品（又はサービス）の提供先名義の口座に商品（又はサービス）の対価の額の移動を指示する手段である。
【００７３】
そして、中央処理装置２は、中央処理装置２の指示手段で顧客名義の口座から商品（又はサービス）の提供先名義の口座に商品（又はサービス）の対価の額の移動を指示した場合、顧客名義の口座から商品（又はサービス）の提供先名義の口座に商品（又はサービス）の対価の額の移動を指示した旨の情報を中央処理装置１に向けて送信する。
【００７４】
例えば、中央処理装置２の制御手段２Ａは、顧客名義の口座から商品（又はサービス）の提供先名義の口座に商品（又はサービス）の対価の額の移動を指示した旨の情報を中央処理装置１に向けて通信手段２Ｃを介して送信する。
【００７５】
或いは、中央処理装置２の制御手段２Ａは、顧客名義の口座から商品（又はサービス）の提供先名義の口座に商品（又はサービス）の対価の額の移動を指示した旨の情報をプリンタ（出力手段２Ｆ）に印刷させる。そして、この印刷された印刷物は、商品（又はサービス）の提供先に渡される。
【００７６】
端末装置３の記憶手段３Ｄには、端末装置３の出力手段３Ｆで出力した商品（又はサービス）の対価の額の請求に関する情報が記憶されている。具体的に説明すると、端末装置３の制御手段３Ａは、記憶手段３ＤのテーブルＴ２（図５に、テーブルＴ２の例を示す）に出力手段３Ｆで出力した商品（又はサービス）の対価の額の請求に関する情報を記憶する。ここで、出力手段３Ｆで出力した商品（又はサービス）の対価の額の請求に関する情報とは、例えば、「１０月１６日冬物コート代  ご請求額￥１０００  請求元□□会社  振込先○○銀行○○口座」の情報である。
【００７７】
端末装置３は、電子メールを受信する第一の受信手段を有する。
例えば、端末装置３の第一の受信手段は、まず、端末装置３の制御手段３Ａが、通信手段３Ｃをインターネット（ネットワーク）に接続させる。次に、端末装置３の制御手段３Ａが、通信手段３Ｃをインターネット（ネットワーク）を介してメールサーバーに接続させる。そして、端末装置３の制御手段３Ａが、通信手段３Ｃにメールサーバーから顧客の電子メールアドレス宛ての電子メールを受信させる。すなわち、中央処理装置１が、メールサーバーに顧客の電子メールアドレス宛ての電子メールを出力していれば、端末装置３は、メールサーバーを介して、中央処理装置１からの電子メールを受信できる。又、中央処理装置２が、メールサーバーに顧客の電子メールアドレス宛ての電子メールを出力していれば、端末装置３は、メールサーバーを介して、中央処理装置２からの電子メールを受信できる。
【００７８】
端末装置３は、中央処理装置２から商品（又はサービス）の対価の額の請求に関する情報を受信する第二の受信手段を有する。具体的に説明すると、端末装置３の第二の受信手段は、まず、端末装置３の制御手段３Ａが、通信手段３Ｃをインターネット（ネットワーク）に接続させる。次に、端末装置３の制御手段３Ａが、通信手段３Ｃをインターネット（ネットワーク）を介して中央処理装置２に接続させる。そして、端末装置３の制御手段３Ａが、通信手段３Ｃに中央処理装置２から商品（又はサービス）の対価の額の請求に関する情報を受信させる。ここで、商品（又はサービス）の対価の額の請求に関する情報とは、例えば、「１２月１６日冬物コート代  ご請求額￥１０００  請求元□□会社  振込先○○銀行○○口座」の内容の情報である。
【００７９】
端末装置３の第一の送信手段は、顧客名義の口座に関する第一の情報、及び／又は顧客名義の口座に関する第二の情報を中央処理装置２に向けて送信する手段である。具体的に説明すると、まず、顧客が、端末装置３のキーボード（入力手段３Ｅ）で顧客の口座番号（顧客名義の口座に関する第一の情報）と、顧客の暗証番号（前記顧客名義の口座に関する第二の情報）とを入力する。端末装置３の制御手段３Ａは、キーボード（入力手段３Ｅ）で入力された顧客の口座番号（顧客名義の口座に関する第一の情報）と、顧客の暗証番号（前記顧客名義の口座に関する第二の情報）とを中央処理装置２に向けて通信手段３Ｃを介して送信する。
【００８０】
又、端末装置３の第一の送信手段は、顧客が注文（又は利用）した商品（又はサービス）の対価の額の請求に関する情報を送信されたし旨の情報を中央処理装置２に向けて送信する手段である。具体的に説明すると、まず、端末装置３の制御手段３Ａは、モニタ（出力手段３Ｆ）に「請求書を今受信する」の項目を表示する。そして、顧客が、モニタ（出力手段３Ｆ）に表示された「請求書を今受信する」の項目をキーボード（入力手段３Ｅ）の矢印キーで選択して反転させる。次に、顧客が、「請求書を今受信する」の項目を反転させた状態で、キーボード（入力手段３Ｅ）のリターンキーを押下する。端末装置３の制御手段３Ａは、このリターンキーの押下に応答して、「請求書を今受信する」の項目が押下された旨の情報を中央処理装置２に向けて通信手段３Ｃを介して送信する。
【００８１】
又、端末装置３の第一の送信手段は、商品（又はサービス）の対価の額の決済に関する情報を中央処理装置２に向けて送信する手段である。具体的に説明すると、まず、端末装置３の制御手段３Ａは、モニタ（出力手段３Ｆ）に「口座振替」の項目を表示する。そして、顧客が、モニタ（出力手段３Ｆ）に表示された「口座振替」の項目をキーボード（入力手段３Ｅ）の矢印キーで選択して反転させる。そして、顧客が、「口座振替」の項目を反転させた状態で、キーボード（入力手段３Ｅ）のリターンキーを押下する。端末装置３の制御手段３Ａは、このリターンキーの押下に応答して、「口座振替」の項目が押下された旨の情報を中央処理装置２に向けて通信手段３Ｃを介して送信する。
【００８２】
端末装置３は、第一の受信手段で受信した電子メールをモニタ（出力手段３Ｆ）に表示するものである。例えば、端末装置３の制御手段３Ａは、中央処理装置１、又は中央処理装置２から受信した電子メールをモニタ（出力手段３Ｆ）に表示する。
【００８３】
又、端末装置３は、第二の受信手段で受信した商品（又はサービス）の対価の額の請求に関する情報をモニタ（出力手段３Ｆ）に表示するものである。
端末装置３の制御手段３Ａは、受信した電子メールに映像情報が含まれている場合、その映像情報の示す映像をモニタ（出力手段３Ｆ）に表示する。ここで、映像情報が示す映像とは、商品（又はサービス）の対価の額の請求に関する内容のバーコードである。すなわち、端末装置３の制御手段３Ａは、商品（又はサービス）の対価の額の請求に関する内容のバーコードをモニタ（出力手段３Ｆ）に表示する。
【００８４】
次に、中央処理装置１と、端末装置３とを用いた場合の動作について説明する。
まず、顧客の電子メールアドレス（顧客の識別情報）が中央処理装置１のキーボード（入力手段１Ｅ）に入力される（ステップ１５１ａ）。次に、「１０月１６日冬物コート代  ￥１０００  振込先○○銀行○○口座」（前記顧客が注文（又は利用）した商品（又はサービス）に関する情報）が中央処理装置１のキーボード（入力手段１Ｅ）に入力される（ステップ１５１ｂ）。
【００８５】
そして、中央処理装置１の制御手段１Ａが、ステップ１５１ａで入力された「１０月１６日冬物コート代  ￥１０００  振込先○○銀行○○口座」（前記顧客が注文（又は利用）した商品（又はサービス）に関する情報）より、「請求書番号：１１１１番  １０月１６日冬物コート代  ご請求額￥１０００  請求元□□会社  振込先○○銀行○○口座」の内容の電子メールを生成する（ステップ１５２）。
【００８６】
中央処理装置１の制御手段１Ａは、ステップ１５２で生成した「請求書番号：１１１１番  １０月１６日冬物コート代  ご請求額￥１０００  請求元□□会社振込先○○銀行○○口座」の内容の電子メールを、ステップ１５１ａで入力した顧客の電子メールアドレス（顧客の識別情報）に向けて、ネットワークを介してメールサーバーに送信する（ステップ１５３）。
【００８７】
端末装置３の制御手段３Ａは、インターネット（ネットワーク）を介してメールサーバーに接続する。次に、端末装置３の制御手段３Ａは、メールサーバーから顧客の電子メールアドレス宛ての電子メールを受信する（ステップ１５４）。例えば、中央処理装置１から送信された「請求書番号：１１１１番  １０月１６日冬物コート代  ご請求額￥１０００  請求元□□会社  振込先○○銀行○○口座」の内容の電子メールを受信する。
【００８８】
次に、端末装置３の制御手段３Ａは、ステップ１５４で受信した「請求書番号：１１１１番  １０月１６日冬物コート代  ご請求額￥１０００  請求元□□会社  振込先○○銀行○○口座」の内容の電子メールをモニタ（出力手段３Ｆ）に表示する（ステップ１５５）。
【００８９】
例えば、端末装置３の制御手段３Ａは、ステップ１５４で受信した電子メールに映像情報が含まれている場合、その映像情報が示す映像をモニタ（出力手段３Ｆ）に表示する（ステップ１５５）。すなわち、端末装置３の制御手段３Ａは、商品（又はサービス）の対価の額の請求に関する内容のバーコードをモニタ（出力手段３Ｆ）に表示する。
【００９０】
次に、端末装置３の制御手段３Ａは、モニタ（出力手段３Ｆ）に表示した顧客が注文（又は利用）した商品（又はサービス）の対価の額を請求する旨の情報を記憶するか否かをモニタ（出力手段３Ｆ）に表示する。ここで、この表示を見た顧客は、記憶するを選択したものとする。そこで、端末装置３の制御手段３Ａは、モニタ（出力手段３Ｆ）に表示した商品（又はサービス）の対価の額の請求に関する情報を端末装置３のテーブルＴ２に記憶する（ステップ２５１）。
【００９１】
後日、顧客は支払いを行う為に、ステップ２５１で記憶した顧客が注文（又は利用）した商品（又はサービス）の対価の額の請求に関する情報を表示する旨を端末装置３の入力手段３Ｅで入力する。この入力に応答して、端末装置３の制御手段３Ａは、端末装置３のテーブルＴ２に記憶した商品（又はサービス）の対価の額の請求に関する情報を読出し、この読出した商品（又はサービス）の対価の額の請求に関する情報をモニタ（出力手段３Ｆ）に表示する（ステップ２５２）。
【００９２】
次に、顧客は、端末装置３のモニタ（出力手段３Ｆ）に表示した商品（又はサービス）の対価の額の請求に関する情報を、商品（又はサービス）の提供先の職員に提示する。商品（又はサービス）の提供先の職員は、この端末装置３に表示された商品（又はサービス）の対価の額の請求に関する情報を、中央処理装置１に入力する（ステップ１５６ａ）。
【００９３】
例えば、商品（又はサービス）の提供先の職員は、端末装置３のモニタ（出力手段３Ｆ）に表示された請求書番号（１１１１番）を、中央処理装置１のキーボード（入力手段１Ｅ）で入力する。
【００９４】
或いは、商品（又はサービス）の提供先の職員は、バーコードリーダ（入力手段１Ｅ）により端末装置３のモニタ（出力手段３Ｆ）に表示されたバーコードを読み込んで、商品（又はサービス）の対価の額の請求に関する情報を中央処理装置１に入力する。
【００９５】
顧客は、商品（又はサービス）の提供先の職員に、商品（又はサービス）の対価の額（冬物コート代  ￥１０００）を渡す。そして、商品（又はサービス）の提供先の職員は、商品（又はサービス）の対価の額（冬物コート代  ￥１０００）を顧客から受け取った旨を中央処理装置１のキーボード（入力手段１Ｅ）に入力する（ステップ１５６ｂ）。
【００９６】
商品（又はサービス）の対価の額（冬物コート代  ￥１０００）を顧客から受け取った旨の情報を入力した中央処理装置１の制御手段１Ａは、ステップ１５６ａで入力した商品（又はサービス）の対価の額の請求に関する情報に基づいて、領収書（商品（又はサービス）の対価の額の領収に関する情報）をプリンタ（出力手段１Ｆ）で出力する（ステップ１５７）。商品（又はサービス）の提供先の職員は、プリンタ（出力手段１Ｆ）により印刷された領収書を顧客に渡す。
【００９７】
次に、中央処理装置２と、端末装置３とを用いた場合の動作について説明する。
まず、顧客の電子メールアドレス（顧客の識別情報）が中央処理装置２のキーボード（入力手段２Ｅ）に入力される（ステップ１８１ａ）。
【００９８】
次に、「請求書番号：１２３４番  １０月１６日冬物コート代  ￥１０００振込先○○銀行○○口座」（前記顧客が注文（又は利用）した商品（又はサービス）に関する情報）が中央処理装置２のキーボード（入力手段２Ｅ）に入力される（ステップ１８１ｂ）。
【００９９】
続いて、商品（又はサービス）の提供先の社名「□□会社」（商品（又はサービス）の提供先の識別情報）が中央処理装置２のキーボード（入力手段２Ｅ）に入力される（ステップ１８１ｃ）。
【０１００】
次に、中央処理装置２の制御手段２Ａは、ステップ１８１ｃで入力した「□□会社」（商品（又はサービス）の提供先の識別情報）に基づいて、商品（又はサービス）の提供先から顧客が注文（又は利用）した商品（又はサービス）の対価の請求がある旨の内容の電子メールを生成する（ステップ１８２）。例えば、ステップ１８２で生成する電子メールは、「□□会社より代金ご請求が有ります。」の内容の電子メールである。
【０１０１】
中央処理装置２の制御手段２Ａは、ステップ１８２で生成した「□□会社より代金ご請求が有ります。」の内容の電子メールを、ステップ１８１ａで入力した顧客の電子メールアドレス（顧客の識別情報）に向けて、ネットワークを介してメールサーバーに出力する（ステップ１８３）。
【０１０２】
端末装置３の制御手段３Ａは、インターネット（ネットワーク）を介してメールサーバーに接続する。そして、端末装置３の制御手段３Ａは、メールサーバーから顧客の電子メールアドレス宛ての電子メールを受信する（ステップ１８４）。例えば、「□□会社より代金ご請求が有ります。」の内容の電子メールを受信する。
【０１０３】
次に、端末装置３の制御手段３Ａは、ステップ１８４で受信した「□□会社より代金ご請求が有ります。」の内容の電子メールをモニタ（出力手段３Ｆ）に表示する（ステップ１９１）。
【０１０４】
端末装置３の制御手段３Ａは、「請求書を今受信する」、「請求書を後で受信する」をモニタ（出力手段Ｂ６）に表示する。ここで、顧客は、「請求書を今受信する」を選択したものとする。
【０１０５】
そして、端末装置３の制御手段３Ａは、「請求書を今受信する」が選択された場合、通信手段３Ｃをインターネット（ネットワーク）に接続させる。次に、端末装置３の制御手段３Ａは、通信手段３Ｃをインターネット（ネットワーク）を介して中央処理装置２に接続させる。次に、端末装置３の制御手段３Ａは、請求書情報を送信されたし旨の情報を中央処理装置２に向けて通信手段３Ｃを介して送信する。
【０１０６】
請求書情報を送信されたし旨の情報を端末装置３から受信した中央処理装置２の制御手段２Ａは、顧客の口座番号（顧客名義の口座に関する第一の情報）、及び顧客の暗証番号（前記顧客名義の口座に関する第二の情報）を送信されたし旨の情報を端末装置３に向けて通信手段２Ｃを介して送信する。
【０１０７】
顧客の口座番号（顧客名義の口座に関する第一の情報）、及び顧客の暗証番号（前記顧客名義の口座に関する第二の情報）を送信されたし旨の情報を中央処理装置２から受信した端末装置３の制御手段３Ａは、顧客の口座番号（顧客名義の口座に関する第一の情報）、及び顧客の暗証番号（前記顧客名義の口座に関する第二の情報）を入力する旨をモニタ（出力手段３Ｆ）に表示する。この表示を見た顧客は、顧客の口座番号（顧客名義の口座に関する第一の情報）、及び顧客の暗証番号（前記顧客名義の口座に関する第二の情報）を端末装置３のキーボード（入力手段３Ｅ）で入力する。
【０１０８】
端末装置３の制御手段３Ａは、キーボード（入力手段３Ｅ）で入力した顧客の口座番号（顧客名義の口座に関する第一の情報）を中央処理装置２に向けて通信手段３Ｃを介して送信する（ステップ１８５ａ）。
【０１０９】
次に、端末装置３の制御手段３Ａは、キーボード（入力手段３Ｅ）で入力した顧客の暗証番号（前記顧客名義の口座に関する第二の情報）を中央処理装置２に向けて通信手段３Ｃを介して送信する（ステップ１８５ｂ）。
【０１１０】
そして、端末装置３の制御手段３Ａは、「領収書を受信する（確定）」旨の項目をモニタ（出力手段Ｂ６）に表示する。顧客は、「領収書を受信する（確定）」旨の項目を選択して、キーボード（入力手段３Ｅ）リターンキーを押下する。
【０１１１】
端末装置３の制御手段３Ａは、「領収書を受信する（確定）」旨の項目が押下された場合、「領収書を受信する（確定）」旨の項目が押下された情報（顧客が注文（又は利用）した商品（又はサービス）の対価の額の請求に関する情報を送信されたし旨の情報）を中央処理装置２に向けて通信手段３Ｃを介して送信する（ステップ１８５ｃ）。
【０１１２】
中央処理装置２の制御手段２Ａは、顧客の口座番号（顧客名義の口座に関する第一の情報）を端末装置３から通信手段２Ｃを介して受信する（ステップ１８６ａ）。
次に、中央処理装置２の制御手段２Ａは、顧客の暗証番号（前記顧客名義の口座に関する第二の情報）を端末装置３から通信手段２Ｃを介して受信する（ステップ１８６ｂ）。
【０１１３】
そして、中央処理装置２の制御手段２Ａは、顧客が注文（又は利用）した商品（又はサービス）の対価の額の請求に関する情報を送信されたし旨の情報を端末装置３から通信手段２Ｃを介して受信する（ステップ１８６ｃ）。
【０１１４】
次に、中央処理装置２の制御手段２Ａは、端末装置３から受信した顧客の口座番号（顧客名義の口座に関する第一の情報）に関連づけられた顧客の暗証番号（顧客名義の口座に関する第二の情報）を、中央処理装置２のテーブルＴ１から読出し、この読出した顧客の暗証番号（顧客名義の口座に関する第二の情報）と、端末装置３から受信した顧客の暗証番号（顧客名義の口座に関する第二の情報）とを演算手段２Ｂに比較させる（ステップ２０１）。
【０１１５】
中央処理装置２の制御手段２Ａは、ステップ２０１による比較の結果、中央処理装置２のテーブルＴ１から読出した顧客の暗証番号（顧客名義の口座に関する第二の情報）と、端末装置３から受信した顧客の暗証番号（顧客名義の口座に関する第二の情報）とが同じである場合（本人と確認できた場合）で、又、端末装置３から顧客が注文（又は利用）した商品（又はサービス）の対価の額の請求に関する情報を送信されたし旨の情報を受信した場合、中央処理装置２の入力手段２Ｅに入力された商品（又はサービス）に関する情報に基づいて、顧客が注文（又は利用）した商品（又はサービス）の対価の額の請求に関する情報を端末装置３に向けて送信する（ステップ１８７）。
【０１１６】
端末装置３の制御手段３Ａは、中央処理装置２から商品（又はサービス）の対価の額の請求に関する情報を通信手段３Ｃを介して受信する（ステップ１８８）。
次に、端末装置３の制御手段３Ａは、ステップ１８８で受信した商品（又はサービス）の対価の額の請求に関する情報をモニタ（出力手段３Ｆ）に表示する（ステップ１９２）。
【０１１７】
更に、端末装置３の制御手段３Ａは、モニタ（出力手段３Ｆ）に「口座振替」の項目を表示する。
そして、顧客が、モニタ（出力手段３Ｆ）に表示された「口座振替」の項目をキーボード（入力手段３Ｅ）の矢印キーで選択して反転させる。そして、顧客が、「口座振替」の項目を反転させた状態で、キーボード（入力手段３Ｅ）のリターンキーを押下する。端末装置３の制御手段３Ａは、このリターンキーの押下に応答して、「口座振替」の項目が押下された旨の情報（顧客が注文（又は利用）した商品（又はサービス）の対価の額の決済に関する情報）を中央処理装置２に向けて通信手段Ｂ３を介して送信する（ステップ１８９）。
【０１１８】
そして、中央処理装置２の制御手段２Ａは、端末装置３から「口座振替」の項目が押下された旨の情報（顧客が注文（又は利用）した商品（又はサービス）の対価の額の決済に関する情報）を受信する（ステップ１８１０）。
【０１１９】
次に、中央処理装置２の制御手段２Ａは、ステップ２０１による比較の結果、中央処理装置２のテーブルＴ１から読出した顧客の暗証番号（顧客名義の口座に関する第二の情報）と、端末装置３から受信した顧客の暗証番号（顧客名義の口座に関する第二の情報）とが同じである場合に、端末装置３から受信した商品（又はサービス）の対価の額の決済に関する情報に基づいて、顧客名義の口座から商品（又はサービス）の提供先名義の口座に商品（又はサービス）の対価の額の移動を指示する（ステップ１８１１）。
【０１２０】
次に、中央処理装置１と、中央処理装置２と、端末装置３とを用いた場合の動作について説明する。
まず、顧客の電子メールアドレス（顧客の識別情報）が中央処理装置１のキーボード（入力手段１Ｅ）に入力される（ステップ２１１ａ）。次に、「１０月１６日冬物コート代  ￥１０００」（前記顧客が注文（又は利用）した商品（又はサービス）に関する情報）が中央処理装置１のキーボード（入力手段１Ｅ）に入力される（ステップ２１１ｂ）。
次に、中央処理装置１の制御手段１Ａが、ステップ２１１ａで入力された「１０月１６日冬物コート代  ￥１０００」（前記顧客が注文（又は利用）した商品（又はサービス）に関する情報）より、「請求書番号：１１１１番  １０月１６日冬物コート代  ご請求額￥１０００  請求元□□会社  振込先○○銀行○○口座」の内容の電子メールを生成する（ステップ２１２）。
【０１２１】
中央処理装置１の制御手段１Ａは、ステップ２１２で生成した「請求書番号：１１１１番  １０月１６日冬物コート代  ご請求額￥１０００  請求元□□会社振込先○○銀行○○口座」の内容の電子メールを、ステップ２１１ａで入力した顧客の電子メールアドレス（顧客の識別情報）に向けて、ネットワークを介してメールサーバーに送信する（ステップ２１３）。
【０１２２】
端末装置３の制御手段３Ａは、インターネット（ネットワーク）を介してメールサーバーに接続する。次に、端末装置３の制御手段３Ａは、メールサーバーから顧客の電子メールアドレス宛ての電子メールを受信する（ステップ１５４）。例えば、中央処理装置１から送信された「請求書番号：１１１１番  １０月１６日冬物コート代  ご請求額￥１０００  請求元□□会社  振込先○○銀行○○口座」の内容の電子メールを受信する（ステップ２１４）。
【０１２３】
次に、端末装置３の制御手段３Ａは、ステップ２１４で受信した「請求書番号：１１１１番  １０月１６日冬物コート代  ご請求額￥１０００  請求元□□会社  振込先○○銀行○○口座」の内容の電子メールをモニタ（出力手段３Ｆ）に表示する（ステップ２３１）。
【０１２４】
次に、端末装置３の制御手段３Ａは、モニタ（出力手段３Ｆ）に表示した顧客が注文（又は利用）した商品（又はサービス）の対価の額を請求する旨の情報を記憶するか否かをモニタ（出力手段３Ｆ）に表示する。ここで、この表示を見た顧客は、モニタ（出力手段３Ｆ）に表示された顧客が注文（又は利用）した商品（又はサービス）の対価の額を請求する旨の情報を記憶するを選択したものとする。そこで、端末装置３の制御手段３Ａは、モニタ（出力手段３Ｆ）に表示した商品（又はサービス）の対価の額の請求に関する情報を端末装置３のテーブルＴ２に記憶する（ステップ２５１）。
【０１２５】
後日、顧客は支払いを行う為に、ステップ２５１で記憶した顧客が注文（又は利用）した商品（又はサービス）の対価の額を請求する旨の情報を表示する旨を端末装置３に入力する。この入力に応答して、端末装置３の制御手段３Ａは、端末装置３のテーブルＴ２に記憶した商品（又はサービス）の対価の額の請求に関する情報を読出し、この読出した商品（又はサービス）の対価の額の請求に関する情報をモニタ（出力手段３Ｆ）に表示する（ステップ２５２）。
【０１２６】
次に、端末装置３の制御手段３Ａは、モニタ（出力手段３Ｆ）に「口座振替」の項目を表示する。
そして、顧客が、モニタ（出力手段３Ｆ）に表示された「口座振替」の項目をキーボード（入力手段３Ｅ）の矢印キーで選択して反転させる。そして、顧客が、「口座振替」の項目を反転させた状態で、キーボード（入力手段３Ｅ）のリターンキーを押下する。端末装置３の制御手段３Ａは、このリターンキーの押下に応答して、「口座振替」の項目が押下された旨の情報を中央処理装置２に向けて通信手段３Ｃを介して送信する。
【０１２７】
端末装置３から「口座振替」の項目が押下された旨の情報を受信した中央処理装置２の制御手段２Ａは、顧客の口座番号（顧客名義の口座に関する第一の情報）、及び顧客の暗証番号（前記顧客名義の口座に関する第二の情報）を送信されたし旨の情報を端末装置３に向けて通信手段２Ｃを介して送信する。
【０１２８】
顧客の口座番号（顧客名義の口座に関する第一の情報）、及び顧客の暗証番号（前記顧客名義の口座に関する第二の情報）を送信されたし旨の情報を中央処理装置２から受信した端末装置３の制御手段３Ａは、顧客の口座番号（顧客名義の口座に関する第一の情報）、及び顧客の暗証番号（前記顧客名義の口座に関する第二の情報）を入力する旨をモニタ（出力手段Ｂ６）に表示する。この表示を見た顧客は、顧客の口座番号（顧客名義の口座に関する第一の情報）、及び顧客の暗証番号（前記顧客名義の口座に関する第二の情報）を端末装置３のキーボード（入力手段３Ｅ）で入力する。
【０１２９】
端末装置３の制御手段３Ａは、キーボード（入力手段３Ｅ）で入力した顧客の口座番号（顧客名義の口座に関する第一の情報）を中央処理装置２に向けて通信手段３Ｃを介して送信する（ステップ２１５ａ）。
【０１３０】
次に、端末装置３の制御手段３Ａは、キーボード（入力手段３Ｅ）で入力した顧客の暗証番号（前記顧客名義の口座に関する第二の情報）を中央処理装置２に向けて通信手段３Ｃを介して送信する（ステップ２１５ｂ）。
【０１３１】
そして、端末装置３の制御手段３Ａは、「口座振替を行う（確定）」の項目をモニタ（出力手段Ｂ６）に表示する。顧客は、「口座振替を行う（確定）」の項目を選択して、キーボード（入力手段３Ｅ）リターンキーを押下する。
【０１３２】
端末装置３の制御手段３Ａは、「口座振替を行う（確定）」の項目が押下された場合、「口座振替を行う（確定）」の項目が押下された情報（顧客が注文（又は利用）した商品（又はサービス）の対価の額の決済に関する情報）を中央処理装置２に向けて通信手段３Ｃを介して送信する（ステップ２１５ｂ）。
【０１３３】
中央処理装置２の制御手段２Ａは、顧客の口座番号（顧客名義の口座に関する第一の情報）を端末装置３から通信手段２Ｃを介して受信する（ステップ２１６ａ）。
次に、中央処理装置２の制御手段２Ａは、顧客の暗証番号（前記顧客名義の口座に関する第二の情報）を端末装置３から通信手段２Ｃを介して受信する（ステップ２１６ｂ）。
【０１３４】
そして、中央処理装置２の制御手段２Ａは、「口座振替を行う（確定）」の項目が押下された情報（顧客が注文（又は利用）した商品（又はサービス）の対価の額の請求に関する情報を送信されたし旨の情報）を端末装置３から通信手段２Ｃを介して受信する（ステップ２１６ｃ）。
【０１３５】
次に、中央処理装置２の制御手段２Ａは、端末装置３から受信した顧客の口座番号（顧客名義の口座に関する第一の情報）に関連づけられた顧客の暗証番号（顧客名義の口座に関する第二の情報）を、中央処理装置２のテーブルＴ１から読出し、この読出した顧客の暗証番号（顧客名義の口座に関する第二の情報）と、端末装置３から受信した顧客の暗証番号（顧客名義の口座に関する第二の情報）とを演算手段２Ｂに比較させる（ステップ２０１）。
【０１３６】
そして、中央処理装置２の制御手段２Ａは、ステップ２０１による比較の結果、中央処理装置２のテーブルＴ１から読出した顧客の暗証番号（顧客名義の口座に関する第二の情報）と、端末装置３から受信した顧客の暗証番号（顧客名義の口座に関する第二の情報）とが同じである場合に、端末装置３から受信した商品（又はサービス）の対価の額の決済に関する情報に基づいて、顧客名義の口座から商品（又はサービス）の提供先名義の口座に商品（又はサービス）の対価の額の移動を指示する（ステップ１８１１）。
【０１３７】
最後に、中央処理装置２の制御手段は、ステップ１８１１で顧客名義の口座から商品（又はサービス）の提供先名義の口座に商品（又はサービス）の対価の額の移動を指示した場合、中央処理装置２の制御手段２Ａは、顧客名義の口座から商品（又はサービス）の提供先名義の口座に商品（又はサービス）の対価の額の移動を指示した旨の情報を中央処理装置１に向けて通信手段２Ｃを介して送信する（ステップ２２１）。
【０１３８】
尚、上記の説明では、端末装置３がバーコードを表示する方法として、電子メールにビットマップ、ＧＩＦ等の映像情報を付加するものとした。しかし、本発明は、電子メールにビットマップ、ＧＩＦ等の映像情報を付加する方法に限定するもので無く、端末装置３が電子メール（商品（又はサービス）の対価の額の請求に関する情報）からバーコードを生成しても良い。
【図面の簡単な説明】
【０１３９】
【図１】本発明に係る決済システムの構成図である。
【図２】本発明に係る端末装置３が表示する画面の一例である。
【図３】本発明に係る端末装置３が表示する画面の一例である。
【図４】本発明に係る中央処理装置２のテーブルＴ１である。
【図５】本発明に係る端末装置３のテーブルＴ２である。
【図６】本発明に係るフローチャートである。
【図７】本発明に係るフローチャートである。
【図８】本発明に係るフローチャートである。
【符号の説明】
【０１４０】
１  中央処理装置
２  中央処理装置
３  端末装置
【図１】
2004158011.tif 000003
【図２】
2004158011.tif 000004
【図３】
2004158011.tif 000005
【図４】
2004158011.tif 000006
【図５】
2004158011.tif 000007
【図６】
2004158011.tif 000008
【図７】
2004158011.tif 000009
【図８】
2004158011.tif 000010